(57)【要約】  本発明の実施例は、複数のセルの充電方法を提供し、前記方法は、受信された充電電圧を変換して、変換された充電電圧を取得するステップと、前記変換された充電電圧で直列接続された複数のセルを充電するステップと、を含む。本発明の実施例の技術案は、充電電流を低減し、充電中に端末による発熱量を低減するとともに、同じ充電電流を維持する場合に、充電電圧を増加させ、急速充電を実現する。
2021511000.tif 000002
【特許請求の範囲】
【請求項１】
複数のセルの充電方法であって、
受信された充電電圧を変換し、変換された充電電圧を取得するステップと、
前記変換された充電電圧で直列接続された複数のセルを充電するステップと、を含む、
ことを特徴とする複数のセルの充電方法。
【請求項２】
前記受信された充電電圧を変換し、変換された充電電圧を取得するステップは、
チャージポンプによって受信された充電電圧を変換し、変換された充電電圧を取得するステップを含む、
ことを特徴とする請求項１に記載の複数のセルの充電方法。
【請求項３】
前記方法は、
前記直列接続された複数のセルの充電パラメータを取得するステップであって、前記充電パラメータは、少なくとも各単一セルの電圧と充電電流とを含むステップと、
前記充電パラメータを電源供給機器にフィードバックするステップであって、前記充電パラメータは、前記直列接続された複数のセルに必要な電圧及び電流を満たすように、前記電源供給機器が出力電圧及び／又は電流を調整するように指示するものであるステップと、をさらに含む、
ことを特徴とする請求項１又は２に記載の複数のセルの充電方法。
【請求項４】
前記変換された充電電圧を取得した後、前記方法は、
前記変換された充電電圧に基づいて、充電モードを決定するステップと、
変換された充電電圧の電圧値が第１の電圧値である場合、第１の充電モードを決定するステップと、
変換された充電電圧の電圧値が第２の電圧値である場合、第２の充電モードを決定するステップであって、前記第１の電圧値は、前記第２の電圧値より大きいステップと、をさらに含む、
ことを特徴とする請求項１に記載の複数のセルの充電方法。
【請求項５】
前記変換された充電電圧で直列接続された複数のセルを充電するステップは、
前記変換された充電電圧が前記第１の充電モードに対応する場合、前記第１の充電モードに対応する第１の充電回路によって、前記変換された充電電圧を前記直列接続された複数のセルの両端に印加するステップであって、前記入力された変換された充電電圧は、前記直列接続された複数のセルの合計電圧より大きいステップを含む、
ことを特徴とする請求項１に記載の複数のセルの充電方法。
【請求項６】
前記方法は、
前記変換された充電電圧が前記第２の充電モードに対応する場合、前記第２の充電モードに対応する第２の充電回路によって、前記変換された充電電圧を前記直列接続された複数のセルのうちの任意の単一セルの両端に印加するステップであって、前記変換された充電電圧は、印加された単一セルの電圧より大きく、前記入力された変換された充電電圧は、前記直列接続された複数のセルの合計電圧より小さいステップをさらに含む、
ことを特徴とする請求項５に記載の複数のセルの充電方法。
【請求項７】
前記変換された充電電圧で直列接続された複数のセルを充電し、前記方法は、
前記複数のセルのうちの任意の単一セルのセルパラメータに基づいて対応するカットオフ電圧を決定するステップと、
前記直列接続された複数のセルのうちの任意の単一セルの電圧を検出して、前記単一セルの現在の電圧値を取得するステップと、
前記単一セルの現在の電圧値が前記単一セルに対応するカットオフ電圧まで充電された場合、前記単一セルの電圧値が予め設定された目標電圧値まで上昇するように、複数の充電段階で前記単一セルを充電するステップであって、前記予め設定された目標電圧値は、前記単一セルに対応するカットオフ電圧より大きいステップと、をさらに含む、
ことを特徴とする請求項１に記載の複数のセルの充電方法。
【請求項８】
前記単一セルの電圧値が予め設定された目標電圧値まで上昇するように、複数の充電段階で前記単一セルを充電するステップは、
複数の充電段階でバッテリを充電するステップであって、各前記充電段階は、一つの充電電流にそれぞれ対応し、且つ隣接する前記充電段階の前の充電段階に対応する充電電流は、次の充電段階に対応する充電電流より大きく、各前記充電段階は、対応する充電電流で前記バッテリの電圧を予め設定された目標電圧値まで充電するステップと、
複数の前記充電段階が完了された場合、充電を停止するステップと、を含む、
ことを特徴とする請求項７に記載の複数のセルの充電方法。
【請求項９】
前記複数の充電段階で前記単一セルを充電し、前記方法は、
複数の充電段階でバッテリを充電するステップであって、各前記充電段階は、一つの充電電流にそれぞれ対応し、且つ隣接する前記充電段階の前の充電段階に対応する充電電流は、次の充電段階に対応する充電電流より大きく、各前記充電段階は、対応する充電電流で前記バッテリの電圧を予め設定された目標電圧値まで充電するステップと、
前記予め設定された目標電圧値で前記バッテリを定電圧充電し、前記単一セルの充電電流が予め設定された目標定電圧充電のカットオフ電流に達するか、又は充電期間が予め設定された期間に達する場合、充電を停止するステップと、をさらに含む、
ことを特徴とする請求項７に記載の複数のセルの充電方法。
【請求項１０】
前記方法は、前記直列接続された複数のセル内の各セル間の電気量を均等化するステップをさらに含む、
ことを特徴とする請求項１に記載の複数のセルの充電方法。
【請求項１１】
前記複数のセルは、少なくとも第１のセルと第２のセルとを含み、前記直列接続された複数のセル内の各セル間の電気量を均等化するステップは、
前記第１のセルの第１の電気量及び前記第２のセルの第２の電気量をそれぞれ取得するステップと、
前記第１の電気量と前記第２の電気量との比を予め設定された閾値と比較し、比較結果を取得するステップと、
前記比較結果が１より大きく、かつ予め設定された第１の閾値より大きい場合、前記比較結果が前記第１の閾値より小さく、かつ１以上になるまで、前記第１のセルの電気量を前記第２のセルに転送するステップと、
前記比較結果が１より小さく、かつ予め設定された第２の閾値より小さい場合、前記比較結果が前記第２の閾値より大きく、かつ１以下になるまで、前記第２のセルの電気量を前記第１のセルに転送するステップと、を含む、
ことを特徴とする請求項１０に記載の複数のセルの充電方法。
【請求項１２】
前記方法は、
前記アダプタと双方向通信を行い、前記第１の充電モードの前記アダプタによって入力された電圧又は電流を制御し、前記第２の充電モードの前記アダプタによって入力された電圧又は電流を制御するステップをさらに含む、
ことを特徴とする請求項５または６に記載の複数のセルの充電方法。
【請求項１３】
前記アダプタと双方向通信を行い、前記第１の充電モードの前記アダプタによって入力された電圧又は電流を制御するステップは、
前記アダプタと双方向通信を行うことによって、第１の充電モードで前記アダプタによって入力された第１の電圧を予め設定された第１の期待値とマッチングさせるステップを含む、
ことを特徴とする請求項１２に記載の複数のセルの充電方法。
【請求項１４】
前記アダプタと双方向通信を行い、前記第２の充電モードの前記アダプタによって入力された電圧又は電流を制御するステップは、
前記アダプタと双方向通信を行うことによって、第２の充電モードで前記アダプタによって入力された第２の電圧を予め設定された第２の期待値とマッチングさせるステップを含む、
ことを特徴とする請求項１２に記載の複数のセルの充電方法。
【請求項１５】
前記変換された充電電圧で直列接続された複数のセルを充電した後、前記方法は、
チャージポンプを介して前記直列バッテリの複数のセルの合計電圧を端末システムに必要な電圧まで低減し、前記端末システムに出力するステップをさらに含む、
ことを特徴とする請求項１に記載の複数のセルの充電方法。
【請求項１６】
前記直列接続された複数のセル内の単一セルの電圧を出力するステップは、
第１のスイッチング回路によって前記直列接続された複数のセルを並列接続された複数のセルに切り替えるステップと、
前記並列接続された複数のセルによって出力された電圧を前記複数のセル内の単一セルの電圧まで低減して出力するステップと、を含む、
ことを特徴とする請求項１５に記載の複数のセルの充電方法。
【請求項１７】
前記方法は、
第２のスイッチング回路によって前記直列接続された複数のセルのうちの任意の単一セルを個別に出力し、前記直列接続された複数のセル内の各セル間の電気量を均等化するステップをさらに含む、
ことを特徴とする請求項１６に記載の複数のセルの充電方法。
【請求項１８】
複数のセルの充電装置であって、
受信された充電電圧を変換して、変換された充電電圧を取得するための変換モジュールと、
前記変換された充電電圧で直列接続された複数のセルを充電するための充電モジュールと、を含む、
ことを特徴とする複数のセルの充電装置。
【請求項１９】
前記変換モジュールは、チャージポンプ又はスイッチドキャパシタ直流電源変換器である、
ことを特徴とする請求項１８に記載の複数のセルの充電装置。
【請求項２０】
前記装置は、
チャージポンプによって前記直列バッテリの複数のセルの合計電圧を端末システムに必要な電圧まで低減し、前記端末システムに出力するための出力モジュールをさらに含む、
ことを特徴とする請求項１８に記載の複数のセルの充電装置。
【請求項２１】
前記出力モジュールは、チャージポンプ又はスイッチドキャパシタ直流電源変換器である、
ことを特徴とする請求項２０に記載の複数のセルの充電装置。
【請求項２２】
コンピュータプログラムが記憶されているコンピュータ読み取り可能な媒体であって、
前記プログラムがプロセッサにより実行される場合に、請求項１〜１７のいずれかに記載の複数のセルの充電方法が実現される、
ことを特徴とするコンピュータ読み取り可能な媒体。
【請求項２３】
電子機器であって、
一つ又は複数のプロセッサと、
一つ又は複数のプログラムが記憶されている記憶装置と、を含み、
前記一つ又は複数のプログラムが前記一つ又は複数のプロセッサにより実行される場合に、前記一つ又は複数のプロセッサが、請求項１〜１７のいずれかに記載の複数のセルの充電方法を実現する、
ことを特徴とする電子機器。
【発明の詳細な説明】
【技術分野】
【０００１】
本出願は、充電技術の分野に関し、具体的には、複数のセルの充電方法、複数のセルの充電装置、コンピュータ読み取り可能な媒体及び電子機器に関する。
【背景技術】
【０００２】
現在、モバイル端末（例えばスマートフォン）は、生活に大きな便利さをもたらし、より多い消費者に注目されており、かなり多くの人がモバイル端末を頻繁に使用するため、モバイル端末の消費電力が多くなり、頻繁に充電する必要がある。
【０００３】
従来技術案では、モバイル端末は、通常、単一のセル構造を使用して端末に電力を供給する。
【０００４】
端末の充電速度がますます速くなる場合には、その発熱問題もますます深刻化になる。
【０００５】
したがって、充電速度を確保する前提で、端末の発熱をどのように低減するかは、現在解决する必要がある問題である。
【０００６】
なお、上記の背景技術部分によって開示された情報は、本発明の背景に対する理解を強化するに過ぎないため、当業者に知られている従来技術を構成しない情報を含むことができる。
【発明の概要】
【発明が解決しようとする課題】
【０００７】
本発明の実施例の目的は、端末急速充電中の発熱などの一つ又は複数の問題を少なくともある程度克服するために、複数のセルの充電方法、装置、媒体及び電子機器を提供する。
【０００８】
本発明の他の特性及び利点は、以下の詳細な説明から明らかになるか、又は本発明の実施によって部分的にわかる。
【課題を解決するための手段】
【０００９】
本発明の実施例の第１の側面によれば、複数のセルの充電方法を提供し、
受信された充電電圧を変換して、変換された充電電圧を取得するステップと、
前記変換された充電電圧で直列接続された複数のセルを充電するステップと、を含む。
【００１０】
本発明の一実施例では、前記受信された充電電圧を変換して、変換された充電電圧を取得するステップは、
チャージポンプを介して受信された充電電圧を変換して、変換された充電電圧を取得するステップを含む。
【００１１】
本発明の一実施例では、上記の方法は、
前記直列接続された複数のセルの充電パラメータを取得するステップであって、前記充電パラメータは、少なくとも各単一セルの電圧と充電電流とを含むステップと、
前記充電パラメータを電源供給機器にフィードバックするステップであって、前記充電パラメータは、前記直列接続された複数のセルに必要な電圧及び電流を満たすように前記電源供給機器が出力電圧及び／又は電流を調整するように指示するものであるステップと、をさらに含む。
【００１２】
本発明の一実施例では、上記の変換された充電電圧を取得した後、前記方法は、
前記変換された充電電圧に基づいて、充電モードを決定するステップと、
変換された充電電圧の電圧値が第１の電圧値である場合、第１の充電モードを決定するステップと、
変換された充電電圧の電圧値が第２の電圧値である場合、第２の充電モードを決定するステップであって、前記第１の電圧値は、前記第２の電圧値より大きいであるステップと、をさらに含む。
【００１３】
本発明の一実施例では、前記変換された充電電圧で直列接続された複数のセルを充電するステップは、
前記変換された充電電圧が前記第１の充電モードに対応する場合、前記第１の充電モードに対応する第１の充電回路を介して、前記変換された充電電圧を前記直列接続された複数のセルの両端に印加するステップであって、前記入力された変換された充電電圧は、前記直列接続された複数のセルの合計電圧より大きいであるステップを含む。
【００１４】
本発明の一実施例では、上記の方法は、
前記変換された充電電圧が前記第２の充電モードに対応する場合、前記第２の充電モードに対応する第２の充電回路を介して、前記変換された充電電圧を前記直列接続された複数のセルのうちの任意の単一セルの両端に印加するステップであって、前記変換された充電電圧は、印加された単一セルの電圧より大きく、前記入力された変換された充電電圧は、前記直列接続された複数のセルの合計電圧より小さいであるステップをさらに含む。
【００１５】
本発明の一実施例では、上記の前記変換された充電電圧で直列接続された複数のセルを充電するステップは、
前記複数のセルのうちの任意の単一セルのセルパラメータに基づいて対応するカットオフ電圧を決定するステップと、
前記直列接続された複数のセルのうちの任意の単一セルの電圧を検出して、前記単一セルの現在の電圧値を取得するステップと、
前記単一セルの現在の電圧値が前記単一セルに対応するカットオフ電圧まで充電された場合、前記単一セルの電圧値が予め設定された目標電圧値まで上昇するように、複数の充電段階で前記単一セルを充電するステップであって、前記予め設定された目標電圧値は、前記単一セルに対応するカットオフ電圧より大きいステップと、をさらに含む。
【００１６】
本発明の一実施例では、上記の前記単一セルの電圧値が予め設定された目標電圧値まで上昇するように、複数の充電段階で前記単一セルを充電するステップは、
複数の充電段階でバッテリを充電するステップであって、各前記充電段階は、一つの充電電流にそれぞれ対応し、且つ隣接する前記充電段階の前の充電段階に対応する充電電流は、次の充電段階に対応する充電電流より大きく、各前記充電段階は、対応する充電電流で前記バッテリの電圧を予め設定された目標電圧値まで充電するステップと、
複数の前記充電段階が完了された場合、充電を停止するステップと、を含む。
【００１７】
本発明の一実施例では、上記の複数の充電段階で前記単一セルを充電するステップは、
複数の充電段階でバッテリを充電するステップであって、各前記充電段階は、一つの充電電流にそれぞれ対応し、且つ隣接する前記充電段階の前の充電段階に対応する充電電流は、次の充電段階に対応する充電電流より大きく、各前記充電段階は、対応する充電電流で前記バッテリの電圧を予め設定された目標電圧値まで充電するステップと、
前記予め設定された目標電圧値で前記バッテリを定電圧充電し、前記単一セルの充電電流が予め設定された目標定電圧充電のカットオフ電流に達するか、又は充電期間が予め設定された期間に達する場合、充電を停止するステップと、をさらに含む。
【００１８】
本発明の一実施例では、上記の方法は、前記直列接続された複数のセル内の各セル間の電気量を均等化するステップをさらに含む。
【００１９】
本発明の一実施例では、上記の複数のセルは、少なくとも第１のセルと第２のセルとを含み、前記直列接続された複数のセル内の各セル間の電気量を均等化するステップは、
前記第１のセルの第１の電気量及び前記第２のセルの第２の電気量をそれぞれ取得するステップと、
前記第１の電気量と前記第２の電気量との比を予め設定された閾値と比較し、比較結果を取得するステップと、
前記比較結果が１より大きく、予め設定された第１の閾値より大きい場合、前記比較結果が前記第１の閾値より小さく、かつ１以上になるまで、前記第１のセルの電気量を前記第２のセルに転送するステップと、
前記比較結果が１より小さく、かつ予め設定された第２の閾値より小さい場合、前記比較結果が前記第２の閾値より大きく、かつ１以下になるまで、前記第２のセルの電気量を前記第１のセルに転送するステップと、を含む。
【００２０】
本発明の一実施例では、上記の方法は、
前記アダプタと双方向通信を行い、前記第１の充電モードの前記アダプタによって入力された電圧又は電流を制御し、及び前記第２の充電モードの前記アダプタによって入力された電圧又は電流を制御するステップをさらに含む。
【００２１】
本発明の一実施例では、上記の前記アダプタと双方向通信を行い、前記第１の充電モードの前記アダプタによって入力された電圧又は電流を制御するステップは、
前記アダプタと双方向通信を行うことによって、第１の充電モードで前記アダプタによって入力された第１の電圧を予め設定された第１の期待値とマッチングさせるステップを含む。
【００２２】
本発明の一実施例では、上記の前記アダプタと双方向通信を行い、前記第２の充電モードの前記アダプタによって入力された電圧又は電流を制御するステップは、
前記アダプタと双方向通信を行うことによって、第２の充電モードで前記アダプタによって入力された第２の電圧を予め設定された第２の期待値とマッチングさせるステップを含む。
【００２３】
本発明の一実施例では、上記の前記変換された充電電圧で直列接続された複数のセルを充電した後、前記方法は、
チャージポンプを介して前記直列バッテリの複数のセルの合計電圧を端末システムに必要な電圧まで低減し、前記端末システムに出力するステップをさらに含む。
【００２４】
本発明の一実施例では、上記の前記直列接続された複数のセル内の単一セルの電圧を出力するステップは、
第１のスイッチング回路によって前記直列接続された複数のセルを並列接続された複数のセルに切り替えるステップと、
前記並列接続された複数のセルによって出力された電圧を前記複数のセル内の単一セルの電圧に低減して出力するステップと、を含む。
【００２５】
本発明の一実施例では、上記の方法は、
第２のスイッチング回路によって前記直列接続された複数のセルのうちの任意の単一セルを個別に出力し、前記直列接続された複数のセル内の各セル間の電気量を均等化するステップをさらに含む。
【００２６】
本発明の実施例の第２の側面によれば、複数のセルの充電装置を提供し、
受信された充電電圧を変換して、変換された充電電圧を取得するための変換モジュールと、
前記変換された充電電圧で直列接続された複数のセルを充電するための充電モジュールと、を含む。
【００２７】
本発明の一実施例では、上記の変換モジュールは、チャージポンプ又はスイッチドキャパシタ直流電源変換器である。
【００２８】
本発明の一実施例では、上記の装置は、
チャージポンプを介して前記直列バッテリの複数のセルの合計電圧を端末システムに必要な電圧まで低減し、前記端末システムに出力するための出力モジュールをさらに含む。
【００２９】
本発明の一実施例では、上記の出力モジュールは、チャージポンプ又はスイッチドキャパシタ直流電源変換器である。
【００３０】
本発明の一実施例では、上記の出力モジュールは、チャージポンプ又はスイッチドキャパシタ直流電源変換器である。
【００３１】
本発明の実施例の第３の側面によれば、コンピュータプログラムが記憶されているコンピュータ読み取り可能な媒体を提供し、前記プログラムがプロセッサにより実行される場合に、上記の実施例の第１の側面に記載の複数のセルの充電方法が実現される。
【００３２】
本発明の実施例の第４の側面によれば、電子機器を提供し、一つ又は複数のプロセッサと、一つ又は複数のプログラムが記憶されている記憶装置と、を含み、上記の一つ又は複数のプログラムが上記の一つ又は複数のプロセッサにより実行される場合に、上記の一つ又は複数のプロセッサが、上記の実施例中第１の態様に記載の複数のセルの充電方法を実現する。
【発明の効果】
【００３３】
本発明の実施例により提供される技術案は、以下の有益な効果を含むことができる。
本発明のいくつの実施例により提供される技術案では、受信された充電電圧を変換して、変換された充電電圧を取得し、前記変換された充電電圧で直列接続された複数のセルを充電し、前記直列接続された複数のセル内の単一セルの電圧を出力する。本発明の実施例の技術案は、充電電流を低減し、充電中に端末による発熱量を低減するとともに、同じ充電電流を維持する場合に、充電電圧を増加させ、急速充電を実現する。
【００３４】
上記の一般的な説明及び以下の詳細な説明は、例示的に及び説明的のみであり、本発明を限定するものではないことを理解されたい。
【図面の簡単な説明】
【００３５】
本明細書の図面は、明細書に組み込まれ、本明細書の一部を構成し、本発明に適合する実施例を示し、説明書とともに本発明の原理を説明するために用いられる。以下の説明に関わる図面は、本発明の幾つかの実施例に過ぎなく、当業者にとって、創造性な労働をしないことを前提として、これらの図面に基づいて他の図面を取得できることは、明らかである。
【図１】本発明の一実施例に係る複数のセルの充電方法を概略的に示すフローチャートである。
【図２】本発明の一実施例に係るスイッチドキャパシタ直流電源変換器に基づいてダブルバッテリの充電方法及び端末システムへの電力供給を実現することを概略的に示す概略図である。
【図３】本発明の一実施例に係る複数のセルの充電装置を概略的に示すブロック図である。
【図４】本発明の実施例を実現するための電子機器のコンピュータシステムの概略構成図を示す。
【発明を実施するための形態】
【００３６】
現在、図面を参照して例示的な実施形態をより全面的に説明する。しかしながら、例示的な実施形態は、様々な形式で実施することができ、且つ説明された例に限定されるものと理解されではならない。逆に、これらの実施形態を提供することによって、本発明は、より全面的且つ完全し、例示的な実施形態の考え方を当業者に全面的に伝えられることになる。
【００３７】
また、説明された特徴、構造、又は特性は、任意の適切な方式一つ又は複数の実施例に組み合わせることができる。以下の説明では、多くの具体的な詳細を提供することによって本発明の実施例を十分に理解するようにする。しかしながら、当業者にとって、本発明の技術案を実現することは、特定の詳細な部分のうちの一つ又は複数がなくてもよいし、又は他の方法、コンポーネント、装置、ステップなどを採用してもよいとわかる。他の場合には、本発明の各態様を不明瞭にすることを回避するために、周知の方法、装置、実現、又は操作が詳細に示され又は説明されてない。
【００３８】
図面に示されるブロック図は、単なる機能エンティティであり、必ずしも物理的に独立したエンティティに対応する必要はない。すなわち、ソフトウェアの形式でこれらの機能エンティティを実現してもよく、又は一つ又は複数のハードウェアモジュール又は集積回路でこれらの機能エンティティを実現してもよく、又は異なるネットワーク及び／又はプロセッサデバイス及び／又はマイクロコントローラデバイスでこれらの機能エンティティを実現してもよい。
【００３９】
図面に示されるフローチャートは、例示的な説明に過ぎず、すべての内容及び操作／ステップを必ず含む必要がなく、説明された順序に従って実行する必要もない。例えば、一部の操作／ステップは、分解することもでき、一部の操作／ステップは、統合又は部分的に統合することができるため、実際に実行される順序は、実際の状況に応じて変更する可能性がある。
【００４０】
図１は、本発明の一実施例に係る複数のセルの充電方法を概略的に示すフローチャートである。
【００４１】
図１を参照すると、本発明の一実施例に係る複数のセルの充電方法は、以下のようなステップを含む。
ステップＳ１１０、受信された充電電圧を変換して、変換された充電電圧を取得する。
ステップＳ１２０、前記変換された充電電圧で直列接続された複数のセルを充電する。
【００４２】
図１に示される実施例の技術案は、充電電流を低減することによって、充電中に端末による発熱量を低減するとともに、同じ充電電流を維持する場合に、充電電圧を増加させ、急速充電を実現する。
【００４３】
以下、図１に示される各ステップの実現の詳細を詳細に説明する。
ステップＳ１１０において、受信された充電電圧を変換して、変換された充電電圧を取得する。
【００４４】
本発明の一実施例では、チャージポンプを介して受信された充電電圧を変換して、変換された充電電圧を取得することができる。
【００４５】
本発明の一実施例では、上記の技術案に基づいて、前記直列接続された複数のセルの充電パラメータを取得するステップをさらに含み、前記充電パラメータは、少なくとも各単一セルの電圧と充電電流とを含み、前記充電パラメータを電源供給機器（アダプタなど）にフィードバックし、前記充電パラメータは、前記直列接続された複数のセルに必要な電圧及び電流を満たすように、前記電源供給機器が出力電圧及び／又は電流を調整するように指示するものである。なお、電源供給機器にフィードバックされる充電パラメータは、前記直列接続された複数のセルに必要な電圧及び電流に対応しており、例えば、チャージポンプが入力電圧より半分小さい電圧、すなわち半電圧チャージポンプであり、電源供給機器にフィードバックされる単一セル電圧がＸボルトである場合、電源供給機器は、出力電圧を２Ｘボルトに調整する必要があり、例えば、電源供給機器にフィードバックされる単一セル電圧が５ボルトである場合、電源供給機器は、出力電圧を１０ボルトに調整する必要がある。
【００４６】
本発明の一実施例では、変換された充電電圧を取得した後、前記変換された充電電圧に基づいて、充電モードを決定するステップと、変換された充電電圧の電圧値が第１の電圧値である場合、第１の充電モードを決定するステップと、変換された充電電圧の電圧値が第２の電圧値である場合、第２の充電モードを決定するステップであって、前記第１の電圧値は、前記第２の電圧値より大きいステップをさらに含む。
【００４７】
本発明の一実施例では、充電対象端末は、データラインを介してアダプタに接続するための充電インターフェースが設置されてもよいし、コイルの方式でアダプタに結合して接続される無線充電モジュールが設置されてもよい。アダプタが動作している場合、モバイル端末の充電対象端末に入力された電圧は、基本的に一定に維持し、例えば、５Ｖ、９Ｖ、１２Ｖ、又は２０Ｖなどであり、アダプタによって出力された電圧は、モバイル端末の充電対象端末内の変換回路を経て変換された後、モバイル端末の充電対象端末内のセルの要求を満たす充電電圧及び／又は充電電流を取得することができ、当該変換回路は、充電電圧及び充電電流の管理を実現するために、電圧／電流フィードバック機能を有し、例えば、アダプタの出力電圧がモバイル端末の充電対象端末内のセルに必要な充電電圧より大きい場合、上記の変換回路を介してアダプタによって出力された電圧を降圧処理して、処理後の電圧がモバイル端末の充電対象端末内のセルに必要な充電電圧を満たすことができるようにし、具体的には、上記の変換回路は、チャージポンプなどの装置によって実現することができる。
【００４８】
本発明の一実施例では、本出願の実施例は、充電インターフェースのタイプを具体的には限定することなく、例えば、ユニバーサルシリアルバス（Ｕｎｉｖｅｒｓａｌ  Ｓｅｒｉａｌ  Ｂｕｓ、ＵＳＢ)インターフェースであってもよく、ＵＳＢインターフェースは、標準的なＵＳＢインターフェースであってもよいし、ｍｉｃｒｏ ＵＳＢインターフェースであってもよいし、Ｔｙｐｅ−Ｃインターフェースであってもよい。
【００４９】
本発明の一実施例では、前述技術案に基づいて、充電対象端末がアダプタに接続された後、アダプタとハンドシェイクすること、すなわち充電対象端末とアダプタとの双方向通信によって、当該アダプタがサポート可能な充電モードを決定し、例えば、充電対象端末は、アダプタによって送信された適応情報を受信し、当該適応情報は、アダプタがサポートする充電モードを含み、充電対象端末は、適応情報に応答してアダプタに制御命令を送信し、当該制御命令は、アダプタを制御して充電対象端末がサポートする充電モードを使用して充電対象端末に充電するために用いられる。
【００５０】
本発明の一実施例では、前述技術案に基づいて、変換された充電電圧の電圧値が第１の電圧値である場合、第１の充電モードを決定し、第１の電圧値は２０Ｖであってもよく、アダプタとハンドシェイクした後にアダプタが複数のセルの急速充電をサポートできると決定された場合、第１の充電モードを実行し、第１の充電モードは、第１の充電回路に対応され、変換された充電電圧の電圧値が第２の電圧値である場合、第２の充電モードを決定し、第２の電圧値が１０Ｖであってもよく、アダプタとハンドシェイクした後にアダプタが単一セル充電のみをサポートすると決定される場合、第２の充電モードを実行し、第２の充電モードは、第２の充電回路に対応され、第１の充電回路と第２の充電回路は、上記変換回路を介して切り替えることができる。
【００５１】
ステップＳ１２０：前記変換された充電電圧で直列接続された複数のセルを充電する。
【００５２】
本発明の一実施例では、前記変換された充電電圧が前記第１の充電モードに対応する場合、前記第１の充電モードに対応する第１の充電回路を介して、前記変換された充電電圧を前記直列接続された複数のセルの両端に印加し、前記入力された変換された充電電圧は、前記直列接続された複数のセルの合計電圧より大きい。
【００５３】
本発明の一実施例では、前述技術案に基づいて、充電対象端末がアダプタとハンドシェイクして第１の充電モードを決定した後、第１の充電モードに対応する第１の充電回路のみをオンにし、他の充電モードに対応する充電回路をオフにし、第１の充電回路は、アダプタによって入力された第１の電圧を充電対象端末内に直列接続された複数のセルの両端に印加し、第１の電圧の電圧値は、充電対象端末内に直列接続された複数のセルの合計電圧値より大きい。
【００５４】
本発明の一実施例では、前記変換された充電電圧が前記第２の充電モードに対応する場合、前記第２の充電モードに対応する第２の充電回路を介して、前記変換された充電電圧を前記直列接続された複数のセルのうちの任意の単一セルの両端に印加し、前記変換された充電電圧は、印加された単一セルの電圧より大きく、前記入力・変換された充電電圧は、前記直列接続された複数のセルの合計電圧より小さい。
【００５５】
本発明の一実施例では、前述技術案に基づいて、充電対象端末がアダプタとハンドシェイクして第２の充電モードを決定した後、第２の充電モード対応する第２の充電回路のみをオンにし、他の充電モードに対応する充電回路をオフにし、第２の充電回路は、アダプタによって入力された第２の電圧を充電対象端末内に直列接続された複数のセルのうちの任意の単一セルの両端に印加し、第２の電圧の電圧値は、印加された単一セルの電圧より大きく、第２の電圧は、充電対象端末内に直列接続された複数のセルの合計電圧より小さい。
【００５６】
本発明の一実施例では、前述技術案に基づいて、上記の前記変換された充電電圧で直列接続された複数のセルを充電し、前記方法は、
前記複数のセルのうちの任意の単一セルのセルパラメータに基づいて対応するカットオフ電圧を決定するステップと、前記直列接続された複数のセルのうちの任意の単一セルの電圧を検出して、前記単一セルの現在の電圧値を取得するステップと、前記単一セルの現在の電圧値が前記単一セルに対応するカットオフ電圧まで充電された場合、前記単一セルの電圧値が予め設定された目標電圧値まで上昇するように、複数の充電段階で前記単一セルを充電するステップであって、前記予め設定された目標電圧値は、前記単一セルに対応するカットオフ電圧より大きいステップと、をさらに含む。
【００５７】
本発明の一実施例では、前述技術案に基づいて、複数の充電段階でバッテリを充電し、各前記充電段階は、一つの充電電流にそれぞれ対応し、且つ隣接する前記充電段階の前の充電段階に対応する充電電流は、次の充電段階に対応する充電電流より大きく、各前記充電段階は、対応する充電電流で前記バッテリの電圧を予め設定された目標電圧値に充電し、複数の前記充電段階が完了された場合、充電を停止する。
【００５８】
本発明の一実施例では、前述技術案に基づいて、複数の充電段階でバッテリを充電し、各前記充電段階は、一つの充電電流にそれぞれ対応し、且つ隣接する前記充電段階の前の充電段階に対応する充電電流は、次の充電段階に対応する充電電流より大きく、各前記充電段階は、対応する充電電流で前記バッテリの電圧を予め設定された目標電圧値に充電し、前記予め設定された目標電圧値で前記バッテリを定電圧充電し、前記単一セルの充電電流が予め設定された目標定電圧充電のカットオフ電流に達するか、又は充電期間が予め設定された期間に達する場合、充電を停止する。
【００５９】
本発明の一実施例では、前記単一セルの電圧値が予め設定された目標電圧値まで上昇するように、上記の予め設定された定電流充電電流を使用して前記単一セルを充電することによって、充電速度をさらに向上させることができ、充電電圧及び電流の制御によって、定電圧充電段階の充電期間の短縮又は定電圧充電段階の除去を実現することができる。そのため、関連技術の充電プロセスと比較して、充電速度を大幅に向上させることができ、例えば、
本発明の一実施例では、一つの上記の単一セル標準カットオフ電圧より高い制限電圧Ｖｎを設置することができ、及び複数の充電電流、Ｉ１、Ｉ２、Ｉ３、……、Ｉｎを設置することができ、ただし、ｎ≧１、Ｉ１≧Ｉ２≧Ｉ３……≧Ｉｎであり、上記の制限電圧Ｖｎは、上記の直列接続された複数のセルのシステム、採用される材料などに関連し、充電電流Ｉ１、Ｉ２、Ｉ３、……、Ｉｎの電流値も、上記の直列接続された複数のセルのシステム、採用される材料などに関連することを理解されたい。好ましくは、バッテリの標準カットオフ電圧がＶ０である場合、ＶｎをＶ０＋△Ｖに設置することができ、例えば、△Ｖは、０.０５Ｖから０.１Ｖの間の値であってもよい。
【００６０】
本発明の一実施例では、直列接続された複数のセルシステムが決定された後、直列接続された複数のセルの容量が決定され、充電電圧、充電電流、充電時間及びバッテリ容量の関係に基づいて、上記の変換された充電電圧が制限電圧Ｖｎに等しい場合、異なる段階の充電電流の大きさを決定することができ、具体的には、Ｉ１、Ｉ２、Ｉ３、……、Ｉｎを設置することができ、隣接する二つの充電電流間の差は、いずれも△Ｉであり、例えば、△Ｉは、１００ｍＡから１Ａの間で値を取ることができる。
【００６１】
本発明の一実施例では、上記の第１の充電モードを採用しても、第２の充電モードを採用しても、直列接続された複数のセルのうちの任意の単一セルの電圧が対応する標準カットオフ電圧まで充電された場合、単一セル電圧が制限電圧Ｖｎまで達するように、充電電流Ｉ１でバッテリを定電流充電する。電流Ｉ１で定電流充電が停止した後、単一セルの電圧は低下するため、バッテリ電圧が制限電圧Ｖｎまで達するように、単一セルを電流Ｉ２でさらに定電流充電する。以上のステップを繰り返し、最後の一つの充電電流Ｉｎを使用して単一セルを制限電圧Ｖｎまで充電した場合、充電を停止することができる。このように、制限電圧Ｖｎ、及び各段階の充電電流を設置することによって、関連技術中の定電圧充電段階を省略することができ、充電時間が大幅に節約されることができる。
【００６２】
本発明の別の実施例では、前述技術案に基づいて、上記の第１の充電モードを採用しても、第２の充電モードを採用しても、直列接続された複数のセルのうちの任意の単一セルの電圧が対応する標準カットオフ電圧に印加される場合、単一セル電圧が制限電圧Ｖｎまで達するように、充電電流Ｉ１でバッテリを定電流充電し、その後、単一セル電圧が制限電圧Ｖｎまで達するように、単一セルを電流Ｉ２で定電流充電する。以上のステップを繰り返し、最後の一つの充電電流Ｉｎを使用して単一セルを制限電圧Ｖｎまで充電するように、Ｖｎを充電電圧として単一セルを継続的に充電し、定電圧充電が予め設定された充電時間に達した後、又は単一セルを充電する電流を予め設定された電流値まで減少した後、単一セルに対する充電を停止する。このように、前述の関連技術案と比較して、定電圧充電段階の時間を低減し、本発明の一実施例では、標準カットオフ電圧より高い制限電圧が設置されるため、定電圧充電の期間を減少し、充電時間が大幅に節約される。
【００６３】
本発明の一実施例では、充電対象端末内に直列接続された複数のセルを充電する場合、充電対象端末は、直列接続された各セルの電気量を検出し、セル間の電気量が不均等化である場合、均等化モジュールによって複数のセル間の電気量を均等化して、各セルの電気量が一致を維持するようにして、複数のセルの全体的な性能を確保し、セル寿命を延長する。
【００６４】
本発明の一実施例では、前述の技術案に基づいて、充電対象端末内に設置された複数のセルは、少なくとも二つのセルとしての第１のセルと第２のセルとを含み、第１のセルの第１の電気量及び第２のセルの第２の電気量をそれぞれ取得し、第１の電気量と第２の電気量との比を予め設定された閾値と比較し、比較結果を取得し、比較結果が１より大きく、予め設定された第１の閾値より大きい場合、比較結果が第１の閾値より小さく、かつ１以上になるまで、第１のセルの電気量を第２のセルに転送し、比較結果が１より小さく、かつ予め設定された第２の閾値より小さい場合、比較結果が第２の閾値より大きく、かつ１以下になるまで、第２のセルの電気量を第１のセルに転送し、例えば、第１のセルの電気量と第２のセルの電気量との不均等化状態が予め設定された閾値を超えた後、均等化モジュールによって第１のセルによって出力されたエネルギーを均等化モジュールに結合し、均等化モジュールに充電電流を形成し、当該充電電流を第２のセルに出力し、第１のセルの電気量と第２のセルの電気量が均等化するまで、第２のセルを充電する。
【００６５】
本発明の一実施例では、前述の技術案に基づいて、アダプタと双方向通信を行い、第１の充電モードのアダプタによって入力された電圧又は電流を制御し、及び第２の充電モードのアダプタによって入力された電圧又は電流を制御し、具体的には、アダプタと双方向通信を行うことによって、第１の充電モードでアダプタによって入力された第１の電圧を予め設定された第１の期待値とマッチングさせ、又は
アダプタと双方向通信を行うことによって、第２の充電モードでアダプタによって入力された第２の電圧を予め設定された第２の期待値とマッチングさせるようにする。
【００６６】
本発明の一実施例では、充電対象端末システムは、アダプタと通信し、複数のセルの現在の合計電圧又は現在の合計電気量をインタラクションし、複数のセルの現在の合計電圧又は現在の合計電気量に基づいてアダプタの出力電圧又は出力電流を調整する。
【００６７】
本発明の一実施例では、アダプタと充電対象機器のうちのいずれかは、マスタデバイス側として双方向通信セッションを開始することができ、これに応じて、他方は、スレーブデバイス側としてマスタデバイス側によって開始された通信に対して応答又は返信する。
【００６８】
本発明の一実施例では、上記のステップＳ１２０の後に、
チャージポンプを介して前記直列バッテリの複数のセルの合計電圧を端末システムに必要な電圧まで低減し、前記端末システムに出力するステップをさらに含む。
【００６９】
本発明の一実施例では、前述技術案に基づいて、チャージポンプを介して前記直列バッテリの複数のセルの合計電圧を端末システムに必要な電圧まで低減するステップは、具体的には、前記直列接続された複数のセル内の単一セルの電圧を出力するステップを含み、
前記直列接続された複数のセル内の単一セルの電圧を出力するステップは、第１のスイッチング回路によって前記直列接続された複数のセルを並列接続された複数のセルに切り替えるステップと、前記並列接続された複数のセルによって出力された電圧を前記複数のセル内の単一セルの電圧まで低減して出力するステップと、を含む。
【００７０】
本発明の一実施例では、上記の方法は、第２のスイッチング回路によって前記直列接続された複数のセルのうちの任意の単一セルを個別に出力し、前記直列接続された複数のセル内の各セル間の電気量を均等化するステップをさらに含む。
【００７１】
本発明の一実施例では、充電対象端末のシステムの電圧の要求は、一般に３.３ボルト程度であり、直列接続された複数のセルに配置された充電対象端末は、構成されたバッテリ電圧は３.３＊Ｎボルトであり、ただし、Ｎは、セル数を意味し、その電圧は、システムに必要な電圧よりはるかに高いため、本発明の実施例は、二つの電力供給方式を提供し、第１の方式は、直列接続されたセルを並列接続に切り替える方式であり、切り替えスイッチで切り替えることによって、バッテリ電圧を低減することができ、その後、降圧チップによって降圧して電力を供給し、第２の方式は、直列接続された複数のセルのうちの一つのセルのみを接続してシステム電力を供給し、バッテリの全体的な性能を確保するために、直列接続された複数のセル間の電気量を一致させることを維持する必要がある。
【００７２】
本発明の一実施例では、第１のスイッチング回路によって直列接続された複数のセルを並列接続された複数のセルに切り替え、並列接続された複数のセルによって出力された電圧を複数のセル内の単一セルの電圧に低減して出力し、又は、
第２のスイッチング回路によって直列接続された複数のセルのうちの任意の単一セルを個別に出力し、直列接続された複数のセル内の各セル間の電気量を均等化する。
【００７３】
本発明の一実施例では、回路の実現を簡略化するために、チャージポンプを介して並列接続された複数のセルによって出力された電圧を低減することができ、チャージポンプを介して複数のセルの合計電圧を現在の合計電圧の１／Ｎに直接に低減することができ、ただし、Ｎは、当該複数のセルに含まれるセルの数を意味し、チャージポンプは、主にスイッチチューブ及びコンデンサを利用して降圧し、コンデンサは、基本的に余分なエネルギーを消費しないため、チャージポンプを使用することで降圧プロセスによる電力損失を低減することができる。具体的には、チャージポンプ内部のスイッチチューブは、一定方式でコンデンサの充電及び放電を制御して、入力電圧を一定の係数で低減させることによって、必要な電圧を取得する。
【００７４】
本発明の別の実施例では、降圧回路を介して降圧処理後の電圧は、リップルが生じる可能性があるため、充電対象機器の電力供給品質に影響を与える可能性があり、本発明の実施例は、複数のセルのうちの単一セルの両端から電力供給電圧を直接に引き出し、充電対象機器内のデバイスに電力を供給することを提供し、セルによって出力された電圧が比較的に安定しているため、端末システムの電力供給品質を維持することができる。
【００７５】
図２は、本発明の一実施例に係るスイッチドキャパシタ直流電源変換器に基づいてダブルバッテリの充電方法及び端末システムへの電力供給を実現することを概略的に示す概略図である。
【００７６】
図２を参照すると、本発明の一実施例に係るスイッチドキャパシタ直流電源変換器に基づいてモジュールダブルバッテリの充電方法及び端末システムへの電力供給を実現することは、
モバイル端末に電力を供給するためのアダプタ２０１と、
第１の充電モードを実行するための第１のスイッチドキャパシタ直流電源変換器２０２と、
第２の充電モードを実行するための第２のスイッチドキャパシタ直流電源変換器２０３と、
第２の単一セル２０５を直列接続して、直列構造のセルを構成するための第１の単一セル２０４と、
第１の単一セル２０４を直列接続して、直列構造のセルを構成するための第２の単一セル２０５と、
直列構造のセルによって出力された電圧を１／２に変更し、モバイル端末システムに電力を供給するための第３のスイッチドキャパシタ直流電源変換器２０６と、
アダプタの出力を制御し、及びモバイル端末の関連機能を実現するためのモバイル端末システム２０７と、
第１の単一セル２０４と第２の単一セル２０５との間の電気量を均等化するための均等化モジュール２０８と、を含む。
【００７７】
本発明の一実施例では、挿入されたアダプタ２０１が二つのセルの急速充電をサポートする場合、例えば、アダプタ２０１は、２０Ｖの電圧を出力することができ、第１のスイッチドキャパシタ直流電源変換器２０２は、二つのセルを直列充電するように動作し、第２のスイッチドキャパシタ直流電源変換器は、動作しなく、充電中に、モバイル端末システム２０７は、アダプタ２０１と双方向通信を行い、アダプタ２０１の出力電圧又は電流を調整して、第１の単一セル２０４及び第２の単一セル２０５に印加された電圧、又はセルに入る電流が予め設定された期待値であることを確保する。充電中に、第１の単一セル２０４及び第２の単一セル２０５の不均等化の状態が予め設定された第１の閾値を超えた場合、均等化モジュール２０８が動作を開始し、第１の単一セル２０４及び第２の単一セル２０５の不均等化の状態が予め設定された第１の閾値より小さい場合、均等化モジュール２０８が動作を停止する。 
【００７８】
本発明の一実施例では、挿入されたアダプタ２０１が単一セルの急速充電のみをサポートする場合、例えば、アダプタ２０１は、最高で１０Ｖの電圧を出力することができ、第２のスイッチドキャパシタ直流電源変換器２０３は、第１の単一セルを充電するように動作し、第１のスイッチドキャパシタ直流電源変換器２０２は、動作しなく、充電中に、均等化モジュール２０８は、アダプタ２０１によって提供される一部（通常は半分）のエネルギーを第２の単一セル２０５に転送して、第１の単一セル２０４及び第２の単一セル２０５の不均等化の状態が予め設定された第２の閾値より小さいことを確保し、充電中に、モバイル端末システム２０７は、アダプタ２０１と双方向通信を行い、アダプタ２０１の出力電圧又は電流を調整して、第１の単一セル２０４及び第２の単一セル２０５に印加された電圧、又はセルに入る電流が予め設定された期待値であることを確保する。 
【００７９】
本発明の一実施例では、モバイル端末システムの電圧の要求は、一般に３.３Ｖ程度であり、ダブルセルを例とすると、直列接続される場合、セル電圧は、４.３＋４.３=８.６Ｖに達し、システムの要求電圧よりはるかに高くなるため、本発明の一実施例は、二つの電力供給方式を提供し、（１）直列接続されたセルを並列接続に切り替える方式であり、スイッチチューブのオンによって切り替えることができ、セル電圧を低減させることができ、その後、第３のスイッチドキャパシタ直流電源変換器２０６の降圧によって電力を供給し、（２）一つのセルのみを接続して電力を供給し、セルの電気量を一致させることを維持する。
【００８０】
なお、本発明の実施例により提供されるスイッチドキャパシタ直流電源変換器に基づいてモジュールダブルバッテリの充電方法及び端末システムへの電力供給を実現する具体的なステップは、具体的には、上記の第１の態様の複数のセルの充電方法の関連内容を参照することができ、ここでは詳細に説明しない。
【００８１】
なお、上記の内容は、本発明の好ましい実施例に過ぎず、本発明の保護範囲を限定するためのものではない。
【００８２】
以下、本発明の上記の複数のセルの充電方法を実行するために用いられることができる本発明の装置の実施例を説明する。
【００８３】
図３は、本発明の一実施例に係る複数のセルの充電装置を概略的に示すブロック図である。
【００８４】
図３を参照すると、本発明の一実施例に係る複数のセルの充電装置３００は、
受信された充電電圧を変換して、変換された充電電圧を取得するための変換モジュール３０１と、
前記変換された充電電圧で直列接続された複数のセルを充電するための充電モジュール３０２と、を含む。
【００８５】
本発明の一実施例では、上記の変換モジュールは、チャージポンプ又はスイッチドキャパシタ直流電源変換器によって実現することができる。
【００８６】
本発明の一実施例では、上記の装置は、
チャージポンプを介して前記直列バッテリの複数のセルの合計電圧を端末システムに必要な電圧まで低減し、前記端末システムに出力するための出力モジュール３０３をさらに含む。
【００８７】
本発明の一実施例では、上記の出力モジュール３０３は、具体的には、
第１のスイッチング回路によって前記直列接続された複数のセルを並列接続された複数のセルに切り替え、
前記並列接続された複数のセルによって出力された電圧を前記複数のセル内の単一セルの電圧に低減して出力する。
【００８８】
本発明の一実施例では、上記の出力モジュール３０３は、さらに、具体的には、
第２のスイッチング回路によって前記直列接続された複数のセルのうちの任意の単一セルを個別に出力し、前記直列接続された複数のセル内の各セル間の電気量を均等化する。
【００８９】
本発明の一実施例では、出力モジュールは、チャージポンプ又はスイッチドキャパシタ直流電源変換器によって実現することができる。
【００９０】
本発明の一実施例では、チャージポンプ又はスイッチドキャパシタ直流電源変換器は、入力電圧より大きい出力電圧を生成するか、負の出力電圧を生成するために用いられ、例えば、上記の変換モジュールは、チャージポンプを介して入力電圧より大きい出力電圧を生成して、直列接続された複数のセルに充電し、システムの電力供給の要求は、通常５Ｖであり、直列接続された複数のセルの合計電圧は、５Ｖよりはるかに高いため、出力モジュールは、チャージポンプを介して直列接続された複数のセルの合計電圧を５Ｖに低減することができ、システムに電力を供給する。
【００９１】
本発明の一実施例では、図２を参照すると、変換モジュール３０１は、第１のスイッチドキャパシタ直流電源変換器２０２と第２のスイッチドキャパシタ直流電源変換器２０３とを含むことができ、アダプタ２０１によって出力された電圧を変換した後、第１の充電モード及び第２の充電モードをそれぞれ実行し、第１の充電モードが実行される場合、第２のスイッチドキャパシタ直流電源変換器２０３はオフ状態であり、第２の充電モードが実行される場合、第１のスイッチドキャパシタ直流電源変換器２０２はオフ状態である。
【００９２】
本発明の一実施例では、図２を参照すると、第１の充電モードが実行される場合、第１のスイッチドキャパシタ直流電源変換器２０２は、直列接続されたセル２０５及びセル２０４の両端に充電電圧を印加し、この時、第１のスイッチドキャパシタ直流電源変換器２０２は、アダプタ２０１によって出力された充電電圧を変換して、充電電圧が直列接続されたセル２０５とセル２０４との合計電圧より大きいようにする。
【００９３】
本発明の一実施例では、図２を参照すると、第２の充電モードが実行される場合、第２のスイッチドキャパシタ直流電源変換器２０３は、直接にセル２０４の両端に充電電圧を印加し、均等化モジュール２０８を介してセル２０４内の電気量をセル２０５に転送して、直列接続されたセル２０５及びセル２０４に対する充電を実現する。
【００９４】
本発明の一実施例では、図２を参照すると、出力モジュール３０３は、直列接続されたセル２０５及びセル２０４の両端に接続され、直列接続されたセル２０５及びセル２０４の合計電圧を低減して、低減された電圧をモバイル端末システム２０７に出力するための第３のスイッチドキャパシタ直流電源変換器２０６であってもよい。
【００９５】
本発明の例示的な実施例の複数のセルの充電装置の各機能モジュールは、上記の複数のセルの充電方法の例示的な実施例におけるステップに対応するため、本発明の装置の実施例で開示されていない詳細については、本発明の上記の複数のセルの充電方法の実施例を参照する。
【００９６】
以下、図４を参照すると、本発明の実施例を実現するための電子機器のコンピュータシステム４００の概略構成図を示す。図４に示される電子機器のコンピュータシステム４００は一例にすぎず、本発明の実施例の機能及び使用範囲に何ら制限が与えられるものではない。
【００９７】
図４に示すように、コンピュータシステム４００は、読み取り専用メモリ（ＲＯＭ）４０２に記憶されているプログラム、又は記憶部４０８からランダムアクセスメモリ（ＲＡＭ）４０３にローディングされたプログラムに基づいて、様々な適切な動作及び処理を実行することができる中央処理装置（ＣＰＵ）４０１を含む。ＲＡＭ４０３には、システムの操作に必要な各種のプログラムとデータがさらに記憶されている。ＣＰＵ４０１と、ＲＯＭ４０２と、ＲＡＭ４０３とは、バス４０４を介して互いに接続されている。入力／出力（Ｉ／Ｏ）インターフェース４０５もバス４０４に接続される。
【００９８】
以下の部材は、キーボード、マウスなどを含む入力部４０６と、ブラウン管（ＣＲＴ）、液晶ディスプレイ（ＬＣＤ）など、及びスピーカーなどを含む出力部分４０７と、ハードディスクなどを含む記憶部４０８と、及びローカルエリアネットワーク（ＬＡＮ）カード、モデムなどのネットワークインターフェースカードを含む通信部４０９などの、Ｉ／Ｏインターフェース４０５に接続される。通信部４０９は、インターネットなどのネットワークを介して通信処理を実行する。ドライバ４１０は、必要に応じてＩ／Ｏインターフェース４０５にも接続される。例えば、磁気ディスク、光ディスク、光磁気ディスク、半導体メモリなどの取り外し可能な媒体４１１は、読み出されたコンピュータプログラムが必要に応じて記憶部４０８にインストールするように、必要に応じてドライバ４１０に実装する。
【００９９】
特に、本発明の実施例によれば、上述のフローチャートを参照して説明されたプロセスは、コンピュータソフトウェアプログラムとして実現されることができる。例えば、本発明の実施例は、コンピュータプログラムプロダクトを含み、コンピュータ読み取り可能な媒体に記憶されているコンピュータプログラムを含み、当該コンピュータプログラムは、フローチャートに示される方法を実行するためのプログラムコードを含む。このような実施例では、当該コンピュータプログラムは、通信部４０９を介してネットワークからダウンロード及びインストールされることができ、及び／又は取り外し可能な媒体４１１からインストールされることができる。当該コンピュータプログラムが中央処理装置（ＣＰＵ）４０１によって実行される場合、本出願のシステムにより限定された上記の機能を実行する。
【０１００】
なお、本発明に示されるコンピュータ読み取り可能な媒体は、コンピュータ読み取り可能な信号媒体、又はコンピュータ読み取り可能な記憶媒体、又は上記両者の任意の組み合わせであってもよい。コンピュータ読み取り可能な媒体は、例えば、電子、磁気、光、電磁気、赤外線、又は半導体のシステム、装置又はデバイス、或いは上記の任意の組み合わせであってもよいが、これらに限定されない。コンピュータ読み取り可能な記憶媒体のより具体的な例（非網羅なリスト）は、一つ又は複数の配線を備える電気接続部、ポータブルコンピュータディスク、ハードディスク、ランダムアクセスメモリ（ＲＡＭ）、読み出し専用メモリ（ＲＯＭ）、消去可能なプログラマブル読み出し専用メモリ（ＥＰＲＯＭ又はフラッシュメモリ）、光ファイバ、ポータブルコンパクトディスク読み出し専用メモリ（ＣＤ-ＲＯＭ）、光記憶装置、磁気記憶装置、又は上記の任意の適切な組み合わせを含む。本発明において、コンピュータ読み取り可能な記憶媒体は、命令実行システム、装置又はデバイスにより使用され、或いはそれらと組み合わせて使用されることが可能であるプログラムを含む又は記憶する任意の有形の媒体であってもよい。本発明において、コンピュータ読み取り可能な信号媒体は、ベースバンドにおける、又は搬送波の一部として伝播するデータ信号を含むことができ、その中にはコンピュータ読み取り可能なプログラムコードが搭載されている。この伝播するデータ信号は様々な形式を採用することができ、電磁信号、光信号又は上記の任意の適切な組み合わせを含むが、これらに限定されない。コンピュータ読み取り可能な信号媒体は、さらに、コンピュータ読み取り可能な記憶媒体以外の任意のコンピュータ読み取り可能な媒体であってもよく、当該コンピュータ読み取り可能な媒体は、命令実行システム、装置又はデバイスにより使用され、或いはそれらと組み合わせて使用されるプログラムを送信、伝播又は伝送することができる。コンピュータ読み取り可能な媒体に含まれるプログラムコードは、無線、有線、光ケーブル、ＲＦなど、又は上記の任意の適切な組み合わせを含むが、これらに限定されない任意の適切な媒体によって伝送することができる。
【０１０１】
図面中のフローチャート及びブロック図は、本発明の様々な実施例のシステム、方法、コンピュータプログラムプロダクトの実現可能なアーキテクチャ、機能、及び操作を示す。この点で、フローチャート又はブロック図における各ブロックは、一つのモジュール、ログラムセグメント、又はコードの一部を表すことができ、上記のモジュール、ログラムセグメント、又はコードの一部は、一つ又は複数の所定の論理機能を実現するため可実行可能な命令を含むことができる。代替とするいくつかの実現では、ブロック内にラベル付けられた機能は、図面とは異なる順序で発生することもできることを注意されたい。例えば、二つの連続して表されるブロックは、実際には基本的に並列に実行することができ、場合によっては逆の順序で実行することもでき、これは関連する機能に応じて決定される。ブロック図又はフローチャートにおける各ブロック、及びブロック図又はフローチャートにおけるブロックの組み合わせは、所定の機能又は操作を実行するための専用のハードウェアベースのシステムによって実現することができ、又は専用のハードウェアとコンピュータ命令の組み合わせで実現することもできることを注意されたい。
【０１０２】
本発明の実施例に係るユニットは、ソフトウェアの方式で実現されてもよく、ハードウェアの方式で実現されてもよく、説明されたユニットは、プロセッサに設置されてもよい。これらのユニットの名称は、場合によって、当該ユニット自体を限定するものではない。
【０１０３】
別の側面として、本出願は、コンピュータ読み取り可能な媒体をさらに提供し、当該コンピュータ読み取り可能な媒体は、上記の実施例に説明された電子機器に含まれるものであってもよく、当該電子機器に組み込まれていない個別の存在であってもよい。上記のコンピュータ読み取り可能な媒体は、一つの又は複数のプログラムが記憶されており、上記の一つの又は複数のプログラムが一つの当該電子機器によって実行される場合に、当該電子機器は、上記の実施例におけるオンラインプロダクト情報取得方法を実現する。
【０１０４】
例えば、上記の電子機器は、図１に示すように、ステップＳ１１０において、入力された電圧値に基づいて、充電モードを決定し、ステップＳ１２０において、充電モードに対応する充電回路によって、直列接続された複数のセルを充電することを実現することができる。
【０１０５】
動作を実行するための機器のいくつかのモジュール又はユニットを上記の詳細的な説明で言及されているが、このような区分は強制的ではないことを注意されたい。実際的には、本発明の実施形態に基づいて、上記で説明された二つ以上のモジュール又はユニットの特徴及び機能は、一つのモジュール又はユニットで具現化されることができる。逆に、上記で説明された一つのモジュール又はユニットの特徴及び機能は、複数のモジュール又はユニットにさらに分割されて具現化されることができる。
【０１０６】
以上の実施形態の説明によって、当業者は理解しやすくなり、ここで説明された例示的な実施形態は、ソフトウェアによって実現することができ、必要なハードウェアをソフトウェアと結合する方式で実現することもできる。したがって、本発明の実施形態に係る技術案は、ソフトウェアプロダクトの形式で具現化することができ、当該ソフトウェアプロダクトは、一つのコンピューティングデバイス（パーソナルコンピュータ、サーバ、タッチ端末、又はネットワークデバイスなどであってもよい）によって本発明の実施形態の方法を実行するために、一つの不揮発性記憶媒体（ＣＤ−ＲＯＭ、Ｕディスク、モバイルハードディスクなどであってもよい）又はネットワークに記憶されることができ、いくつかの命令を含む。
【０１０７】
当業者は、明細書を考慮してここに記載の発明を実践した後、本発明の他の実施案を容易に考えられる。本発明は、ここに記載された一切変形、用途又は適応性的な変化を含むことを旨とし、これらの変形、用途又は適応的変化は本発明の一般的な原理及び本発明に開示されていない当該技術分野における周知知識又は常用の技術手段を含む。明細書と実施例とは例示的なもののみとみなされ、本発明の真の範囲と主旨は以下の特許請求の範囲に示される。
【０１０８】
本発明は、上記既に説明されて図面に示された正確な構造に限られるものではなく、その原理及び主旨から逸脱しない限り、各種の補正、変化を行うことができると理解されるべきである。本発明の範囲は、特許請求の範囲だけにより限定されるものである。
【図１】
2021511000.tif 000003
【図２】
2021511000.tif 000004
【図３】
2021511000.tif 000005
【図４】
2021511000.tif 000006
【手続補正書】
【提出日】令和2年2月19日(2020.2.19)
【手続補正１】
【補正対象書類名】明細書
【補正対象項目名】全文
【補正方法】変更
【補正の内容】
【発明の詳細な説明】
【技術分野】
【０００１】
本出願は、充電技術の分野に関し、具体的には、複数のセルの充電方法、複数のセルの充電装置、コンピュータ読み取り可能な媒体及び電子機器に関する。
【背景技術】
【０００２】
現在、モバイル端末（例えばスマートフォン）は、生活に大きな便利さをもたらし、より多い消費者に注目されており、かなり多くの人がモバイル端末を頻繁に使用するため、モバイル端末の消費電力が多くなり、頻繁に充電する必要がある。
【０００３】
従来技術案では、モバイル端末は、通常、単一のセル構造を使用して端末に電力を供給する。
【０００４】
端末の充電速度がますます速くなる場合には、その発熱問題もますます深刻化になる。
【０００５】
したがって、充電速度を確保する前提で、端末の発熱をどのように低減するかは、現在解决する必要がある問題である。
【０００６】
なお、上記の背景技術部分によって開示された情報は、本発明の背景に対する理解を強化するに過ぎないため、当業者に知られている従来技術を構成しない情報を含むことができる。
【発明の概要】
【発明が解決しようとする課題】
【０００７】
本発明の実施例の目的は、端末急速充電中の発熱などの一つ又は複数の問題を少なくともある程度克服するために、複数のセルの充電方法、装置、媒体及び電子機器を提供する。
【０００８】
本発明の他の特性及び利点は、以下の詳細な説明から明らかになるか、又は本発明の実施によって部分的にわかる。
【課題を解決するための手段】
【０００９】
本発明の実施例の第１の側面によれば、複数のセルの充電方法を提供し、
受信された充電電圧を変換して、変換された充電電圧を取得するステップと、
前記変換された充電電圧で直列接続された複数のセルを充電するステップと、を含む。
【００１０】
本発明の一実施例では、前記受信された充電電圧を変換して、変換された充電電圧を取得するステップは、
チャージポンプを介して受信された充電電圧を変換して、変換された充電電圧を取得するステップを含む。
【００１１】
本発明の一実施例では、上記の方法は、
前記直列接続された複数のセルの充電パラメータを取得するステップであって、前記充電パラメータは、少なくとも各単一セルの電圧と充電電流とを含むステップと、
前記充電パラメータを電源供給機器にフィードバックするステップであって、前記充電パラメータは、前記直列接続された複数のセルに必要な電圧及び電流を満たすように前記電源供給機器が出力電圧及び／又は電流を調整するように指示するものであるステップと、をさらに含む。
【００１２】
本発明の一実施例では、上記の変換された充電電圧を取得した後、前記方法は、
前記変換された充電電圧に基づいて、充電モードを決定するステップと、
変換された充電電圧の電圧値が第１の電圧値である場合、第１の充電モードを決定するステップと、
変換された充電電圧の電圧値が第２の電圧値である場合、第２の充電モードを決定するステップであって、前記第１の電圧値は、前記第２の電圧値より大きいであるステップと、をさらに含む。
【００１３】
本発明の一実施例では、前記変換された充電電圧で直列接続された複数のセルを充電するステップは、
前記変換された充電電圧が前記第１の充電モードに対応する場合、前記第１の充電モードに対応する第１の充電回路を介して、前記変換された充電電圧を前記直列接続された複数のセルの両端に印加するステップであって、前記入力された変換された充電電圧は、前記直列接続された複数のセルの合計電圧より大きいであるステップを含む。
【００１４】
本発明の一実施例では、上記の方法は、
前記変換された充電電圧が前記第２の充電モードに対応する場合、前記第２の充電モードに対応する第２の充電回路を介して、前記変換された充電電圧を前記直列接続された複数のセルのうちの任意の単一セルの両端に印加するステップであって、前記変換された充電電圧は、印加された単一セルの電圧より大きく、前記入力された変換された充電電圧は、前記直列接続された複数のセルの合計電圧より小さいであるステップをさらに含む。
【００１５】
本発明の一実施例では、上記の前記変換された充電電圧で直列接続された複数のセルを充電するステップは、
前記複数のセルのうちの任意の単一セルのセルパラメータに基づいて対応するカットオフ電圧を決定するステップと、
前記直列接続された複数のセルのうちの任意の単一セルの電圧を検出して、前記単一セルの現在の電圧値を取得するステップと、
前記単一セルの現在の電圧値が前記単一セルに対応するカットオフ電圧まで充電された場合、前記単一セルの電圧値が予め設定された目標電圧値まで上昇するように、複数の充電段階で前記単一セルを充電するステップであって、前記予め設定された目標電圧値は、前記単一セルに対応するカットオフ電圧より大きいステップと、をさらに含む。
【００１６】
本発明の一実施例では、上記の前記単一セルの電圧値が予め設定された目標電圧値まで上昇するように、複数の充電段階で前記単一セルを充電するステップは、
複数の充電段階でバッテリを充電するステップであって、各前記充電段階は、一つの充電電流にそれぞれ対応し、且つ隣接する前記充電段階の前の充電段階に対応する充電電流は、次の充電段階に対応する充電電流より大きく、各前記充電段階は、対応する充電電流で前記バッテリの電圧を予め設定された目標電圧値まで充電するステップと、
複数の前記充電段階が完了された場合、充電を停止するステップと、を含む。
【００１７】
本発明の一実施例では、上記の複数の充電段階で前記単一セルを充電するステップは、
複数の充電段階でバッテリを充電するステップであって、各前記充電段階は、一つの充電電流にそれぞれ対応し、且つ隣接する前記充電段階の前の充電段階に対応する充電電流は、次の充電段階に対応する充電電流より大きく、各前記充電段階は、対応する充電電流で前記バッテリの電圧を予め設定された目標電圧値まで充電するステップと、
前記予め設定された目標電圧値で前記バッテリを定電圧充電し、前記単一セルの充電電流が予め設定された目標定電圧充電のカットオフ電流に達するか、又は充電期間が予め設定された期間に達する場合、充電を停止するステップと、をさらに含む。
【００１８】
本発明の一実施例では、上記の方法は、前記直列接続された複数のセル内の各セル間の電気量を均等化するステップをさらに含む。
【００１９】
本発明の一実施例では、上記の複数のセルは、少なくとも第１のセルと第２のセルとを含み、前記直列接続された複数のセル内の各セル間の電気量を均等化するステップは、
前記第１のセルの第１の電気量及び前記第２のセルの第２の電気量をそれぞれ取得するステップと、
前記第１の電気量と前記第２の電気量との比を予め設定された閾値と比較し、比較結果を取得するステップと、
前記比較結果が１より大きく、予め設定された第１の閾値より大きい場合、前記比較結果が前記第１の閾値より小さく、かつ１以上になるまで、前記第１のセルの電気量を前記第２のセルに転送するステップと、
前記比較結果が１より小さく、かつ予め設定された第２の閾値より小さい場合、前記比較結果が前記第２の閾値より大きく、かつ１以下になるまで、前記第２のセルの電気量を前記第１のセルに転送するステップと、を含む。
【００２０】
本発明の一実施例では、上記の方法は、
前記アダプタと双方向通信を行い、前記第１の充電モードの前記アダプタによって入力された電圧又は電流を制御し、及び前記第２の充電モードの前記アダプタによって入力された電圧又は電流を制御するステップをさらに含む。
【００２１】
本発明の一実施例では、上記の前記アダプタと双方向通信を行い、前記第１の充電モードの前記アダプタによって入力された電圧又は電流を制御するステップは、
前記アダプタと双方向通信を行うことによって、第１の充電モードで前記アダプタによって入力された第１の電圧を予め設定された第１の期待値とマッチングさせるステップを含む。
【００２２】
本発明の一実施例では、上記の前記アダプタと双方向通信を行い、前記第２の充電モードの前記アダプタによって入力された電圧又は電流を制御するステップは、
前記アダプタと双方向通信を行うことによって、第２の充電モードで前記アダプタによって入力された第２の電圧を予め設定された第２の期待値とマッチングさせるステップを含む。
【００２３】
本発明の一実施例では、上記の前記変換された充電電圧で直列接続された複数のセルを充電した後、前記方法は、
チャージポンプを介して前記直列バッテリの複数のセルの合計電圧を端末システムに必要な電圧まで低減し、前記端末システムに出力するステップをさらに含む。
【００２４】
本発明の一実施例では、上記の前記直列接続された複数のセル内の単一セルの電圧を出力するステップは、
第１のスイッチング回路によって前記直列接続された複数のセルを並列接続された複数のセルに切り替えるステップと、
前記並列接続された複数のセルによって出力された電圧を前記複数のセル内の単一セルの電圧に低減して出力するステップと、を含む。
【００２５】
本発明の一実施例では、上記の方法は、
第２のスイッチング回路によって前記直列接続された複数のセルのうちの任意の単一セルを個別に出力し、前記直列接続された複数のセル内の各セル間の電気量を均等化するステップをさらに含む。
【００２６】
本発明の実施例の第２の側面によれば、複数のセルの充電装置を提供し、
受信された充電電圧を変換して、変換された充電電圧を取得するための変換モジュールと、
前記変換された充電電圧で直列接続された複数のセルを充電するための充電モジュールと、を含む。
【００２７】
本発明の一実施例では、上記の変換モジュールは、チャージポンプ又はスイッチドキャパシタ直流電源変換器である。
【００２８】
本発明の一実施例では、上記の装置は、
チャージポンプを介して前記直列バッテリの複数のセルの合計電圧を端末システムに必要な電圧まで低減し、前記端末システムに出力するための出力モジュールをさらに含む。
【００２９】
本発明の一実施例では、上記の出力モジュールは、チャージポンプ又はスイッチドキャパシタ直流電源変換器である。
【００３０】
本発明の一実施例では、上記の出力モジュールは、チャージポンプ又はスイッチドキャパシタ直流電源変換器である。
【００３１】
本発明の実施例の第３の側面によれば、コンピュータプログラムが記憶されているコンピュータ読み取り可能な媒体を提供し、前記プログラムがプロセッサにより実行される場合に、上記の実施例の第１の側面に記載の複数のセルの充電方法が実現される。
【００３２】
本発明の実施例の第４の側面によれば、電子機器を提供し、一つ又は複数のプロセッサと、一つ又は複数のプログラムが記憶されている記憶装置と、を含み、上記の一つ又は複数のプログラムが上記の一つ又は複数のプロセッサにより実行される場合に、上記の一つ又は複数のプロセッサが、上記の実施例中第１の態様に記載の複数のセルの充電方法を実現する。
【発明の効果】
【００３３】
本発明の実施例により提供される技術案は、以下の有益な効果を含むことができる。
本発明のいくつの実施例により提供される技術案では、受信された充電電圧を変換して、変換された充電電圧を取得し、前記変換された充電電圧で直列接続された複数のセルを充電し、前記直列接続された複数のセル内の単一セルの電圧を出力する。本発明の実施例の技術案は、充電電流を低減し、充電中に端末による発熱量を低減するとともに、同じ充電電流を維持する場合に、充電電圧を増加させ、急速充電を実現する。
【００３４】
上記の一般的な説明及び以下の詳細な説明は、例示的に及び説明的のみであり、本発明を限定するものではないことを理解されたい。
【図面の簡単な説明】
【００３５】
本明細書の図面は、明細書に組み込まれ、本明細書の一部を構成し、本発明に適合する実施例を示し、説明書とともに本発明の原理を説明するために用いられる。以下の説明に関わる図面は、本発明の幾つかの実施例に過ぎなく、当業者にとって、創造性な労働をしないことを前提として、これらの図面に基づいて他の図面を取得できることは、明らかである。
【図１】本発明の一実施例に係る複数のセルの充電方法を概略的に示すフローチャートである。
【図２】本発明の一実施例に係るスイッチドキャパシタ直流電源変換器に基づいてダブルバッテリの充電方法及び端末システムへの電力供給を実現することを概略的に示す概略図である。
【図３】本発明の一実施例に係る複数のセルの充電装置を概略的に示すブロック図である。
【図４】本発明の実施例を実現するための電子機器のコンピュータシステムの概略構成図を示す。
【発明を実施するための形態】
【００３６】
現在、図面を参照して例示的な実施形態をより全面的に説明する。しかしながら、例示的な実施形態は、様々な形式で実施することができ、且つ説明された例に限定されるものと理解されではならない。逆に、これらの実施形態を提供することによって、本発明は、より全面的且つ完全し、例示的な実施形態の考え方を当業者に全面的に伝えられることになる。
【００３７】
また、説明された特徴、構造、又は特性は、任意の適切な方式一つ又は複数の実施例に組み合わせることができる。以下の説明では、多くの具体的な詳細を提供することによって本発明の実施例を十分に理解するようにする。しかしながら、当業者にとって、本発明の技術案を実現することは、特定の詳細な部分のうちの一つ又は複数がなくてもよいし、又は他の方法、コンポーネント、装置、ステップなどを採用してもよいとわかる。他の場合には、本発明の各態様を不明瞭にすることを回避するために、周知の方法、装置、実現、又は操作が詳細に示され又は説明されてない。
【００３８】
図面に示されるブロック図は、単なる機能エンティティであり、必ずしも物理的に独立したエンティティに対応する必要はない。すなわち、ソフトウェアの形式でこれらの機能エンティティを実現してもよく、又は一つ又は複数のハードウェアモジュール又は集積回路でこれらの機能エンティティを実現してもよく、又は異なるネットワーク及び／又はプロセッサデバイス及び／又はマイクロコントローラデバイスでこれらの機能エンティティを実現してもよい。
【００３９】
図面に示されるフローチャートは、例示的な説明に過ぎず、すべての内容及び操作／ステップを必ず含む必要がなく、説明された順序に従って実行する必要もない。例えば、一部の操作／ステップは、分解することもでき、一部の操作／ステップは、統合又は部分的に統合することができるため、実際に実行される順序は、実際の状況に応じて変更する可能性がある。
【００４０】
図１は、本発明の一実施例に係る複数のセルの充電方法を概略的に示すフローチャートである。
【００４１】
図１を参照すると、本発明の一実施例に係る複数のセルの充電方法は、以下のようなステップを含む。
ステップＳ１１０、受信された充電電圧を変換して、変換された充電電圧を取得する。
ステップＳ１２０、前記変換された充電電圧で直列接続された複数のセルを充電する。
【００４２】
図１に示される実施例の技術案は、充電電流を低減することによって、充電中に端末による発熱量を低減するとともに、同じ充電電流を維持する場合に、充電電圧を増加させ、急速充電を実現する。
【００４３】
以下、図１に示される各ステップの実現の詳細を詳細に説明する。
ステップＳ１１０において、受信された充電電圧を変換して、変換された充電電圧を取得する。
【００４４】
本発明の一実施例では、チャージポンプを介して受信された充電電圧を変換して、変換された充電電圧を取得することができる。
【００４５】
本発明の一実施例では、上記の技術案に基づいて、前記直列接続された複数のセルの充電パラメータを取得するステップをさらに含み、前記充電パラメータは、少なくとも各単一セルの電圧と充電電流とを含み、前記充電パラメータを電源供給機器（アダプタなど）にフィードバックし、前記充電パラメータは、前記直列接続された複数のセルに必要な電圧及び電流を満たすように、前記電源供給機器が出力電圧及び／又は電流を調整するように指示するものである。なお、電源供給機器にフィードバックされる充電パラメータは、前記直列接続された複数のセルに必要な電圧及び電流に対応しており、例えば、チャージポンプが入力電圧より半分小さい電圧、すなわち半電圧チャージポンプであり、電源供給機器にフィードバックされる単一セル電圧がＸボルトである場合、電源供給機器は、出力電圧を２Ｘボルトに調整する必要があり、例えば、電源供給機器にフィードバックされる単一セル電圧が５ボルトである場合、電源供給機器は、出力電圧を１０ボルトに調整する必要がある。
【００４６】
本発明の一実施例では、変換された充電電圧を取得した後、前記変換された充電電圧に基づいて、充電モードを決定するステップと、変換された充電電圧の電圧値が第１の電圧値である場合、第１の充電モードを決定するステップと、変換された充電電圧の電圧値が第２の電圧値である場合、第２の充電モードを決定するステップであって、前記第１の電圧値は、前記第２の電圧値より大きいステップをさらに含む。
【００４７】
本発明の一実施例では、充電対象端末は、データラインを介してアダプタに接続するための充電インターフェースが設置されてもよいし、コイルの方式でアダプタに結合して接続される無線充電モジュールが設置されてもよい。アダプタが動作している場合、モバイル端末の充電対象端末に入力された電圧は、基本的に一定に維持し、例えば、５Ｖ、９Ｖ、１２Ｖ、又は２０Ｖなどであり、アダプタによって出力された電圧は、モバイル端末の充電対象端末内の変換回路を経て変換された後、モバイル端末の充電対象端末内のセルの要求を満たす充電電圧及び／又は充電電流を取得することができ、当該変換回路は、充電電圧及び充電電流の管理を実現するために、電圧／電流フィードバック機能を有し、例えば、アダプタの出力電圧がモバイル端末の充電対象端末内のセルに必要な充電電圧より大きい場合、上記の変換回路を介してアダプタによって出力された電圧を降圧処理して、処理後の電圧がモバイル端末の充電対象端末内のセルに必要な充電電圧を満たすことができるようにし、具体的には、上記の変換回路は、チャージポンプなどの装置によって実現することができる。
【００４８】
本発明の一実施例では、本出願の実施例は、充電インターフェースのタイプを具体的には限定することなく、例えば、ユニバーサルシリアルバス（Ｕｎｉｖｅｒｓａｌ  Ｓｅｒｉａｌ  Ｂｕｓ、ＵＳＢ)インターフェースであってもよく、ＵＳＢインターフェースは、標準的なＵＳＢインターフェースであってもよいし、ｍｉｃｒｏ ＵＳＢインターフェースであってもよいし、Ｔｙｐｅ−Ｃインターフェースであってもよい。
【００４９】
本発明の一実施例では、前述技術案に基づいて、充電対象端末がアダプタに接続された後、アダプタとハンドシェイクすること、すなわち充電対象端末とアダプタとの双方向通信によって、当該アダプタがサポート可能な充電モードを決定し、例えば、充電対象端末は、アダプタによって送信された適応情報を受信し、当該適応情報は、アダプタがサポートする充電モードを含み、充電対象端末は、適応情報に応答してアダプタに制御命令を送信し、当該制御命令は、アダプタを制御して充電対象端末がサポートする充電モードを使用して充電対象端末に充電するために用いられる。
【００５０】
本発明の一実施例では、前述技術案に基づいて、変換された充電電圧の電圧値が第１の電圧値である場合、第１の充電モードを決定し、第１の電圧値は２０Ｖであってもよく、アダプタとハンドシェイクした後にアダプタが複数のセルの急速充電をサポートできると決定された場合、第１の充電モードを実行し、第１の充電モードは、第１の充電回路に対応され、変換された充電電圧の電圧値が第２の電圧値である場合、第２の充電モードを決定し、第２の電圧値が１０Ｖであってもよく、アダプタとハンドシェイクした後にアダプタが単一セル充電のみをサポートすると決定される場合、第２の充電モードを実行し、第２の充電モードは、第２の充電回路に対応され、第１の充電回路と第２の充電回路は、上記変換回路を介して切り替えることができる。
【００５１】
ステップＳ１２０：前記変換された充電電圧で直列接続された複数のセルを充電する。
【００５２】
本発明の一実施例では、前記変換された充電電圧が前記第１の充電モードに対応する場合、前記第１の充電モードに対応する第１の充電回路を介して、前記変換された充電電圧を前記直列接続された複数のセルの両端に印加し、前記入力された変換された充電電圧は、前記直列接続された複数のセルの合計電圧より大きい。
【００５３】
本発明の一実施例では、前述技術案に基づいて、充電対象端末がアダプタとハンドシェイクして第１の充電モードを決定した後、第１の充電モードに対応する第１の充電回路のみをオンにし、他の充電モードに対応する充電回路をオフにし、第１の充電回路は、アダプタによって入力された第１の電圧を充電対象端末内に直列接続された複数のセルの両端に印加し、第１の電圧の電圧値は、充電対象端末内に直列接続された複数のセルの合計電圧値より大きい。
【００５４】
本発明の一実施例では、前記変換された充電電圧が前記第２の充電モードに対応する場合、前記第２の充電モードに対応する第２の充電回路を介して、前記変換された充電電圧を前記直列接続された複数のセルのうちの任意の単一セルの両端に印加し、前記変換された充電電圧は、印加された単一セルの電圧より大きく、前記入力・変換された充電電圧は、前記直列接続された複数のセルの合計電圧より小さい。
【００５５】
本発明の一実施例では、前述技術案に基づいて、充電対象端末がアダプタとハンドシェイクして第２の充電モードを決定した後、第２の充電モード対応する第２の充電回路のみをオンにし、他の充電モードに対応する充電回路をオフにし、第２の充電回路は、アダプタによって入力された第２の電圧を充電対象端末内に直列接続された複数のセルのうちの任意の単一セルの両端に印加し、第２の電圧の電圧値は、印加された単一セルの電圧より大きく、第２の電圧は、充電対象端末内に直列接続された複数のセルの合計電圧より小さい。
【００５６】
本発明の一実施例では、前述技術案に基づいて、上記の前記変換された充電電圧で直列接続された複数のセルを充電し、前記方法は、
前記複数のセルのうちの任意の単一セルのセルパラメータに基づいて対応するカットオフ電圧を決定するステップと、前記直列接続された複数のセルのうちの任意の単一セルの電圧を検出して、前記単一セルの現在の電圧値を取得するステップと、前記単一セルの現在の電圧値が前記単一セルに対応するカットオフ電圧まで充電された場合、前記単一セルの電圧値が予め設定された目標電圧値まで上昇するように、複数の充電段階で前記単一セルを充電するステップであって、前記予め設定された目標電圧値は、前記単一セルに対応するカットオフ電圧より大きいステップと、をさらに含む。
【００５７】
本発明の一実施例では、前述技術案に基づいて、複数の充電段階でバッテリを充電し、各前記充電段階は、一つの充電電流にそれぞれ対応し、且つ隣接する前記充電段階の前の充電段階に対応する充電電流は、次の充電段階に対応する充電電流より大きく、各前記充電段階は、対応する充電電流で前記バッテリの電圧を予め設定された目標電圧値に充電し、複数の前記充電段階が完了された場合、充電を停止する。
【００５８】
本発明の一実施例では、前述技術案に基づいて、複数の充電段階でバッテリを充電し、各前記充電段階は、一つの充電電流にそれぞれ対応し、且つ隣接する前記充電段階の前の充電段階に対応する充電電流は、次の充電段階に対応する充電電流より大きく、各前記充電段階は、対応する充電電流で前記バッテリの電圧を予め設定された目標電圧値に充電し、前記予め設定された目標電圧値で前記バッテリを定電圧充電し、前記単一セルの充電電流が予め設定された目標定電圧充電のカットオフ電流に達するか、又は充電期間が予め設定された期間に達する場合、充電を停止する。
【００５９】
本発明の一実施例では、前記単一セルの電圧値が予め設定された目標電圧値まで上昇するように、上記の予め設定された定電流充電電流を使用して前記単一セルを充電することによって、充電速度をさらに向上させることができ、充電電圧及び電流の制御によって、定電圧充電段階の充電期間の短縮又は定電圧充電段階の除去を実現することができる。そのため、関連技術の充電プロセスと比較して、充電速度を大幅に向上させることができ、例えば、
本発明の一実施例では、一つの上記の単一セル標準カットオフ電圧より高い制限電圧Ｖｎを設置することができ、及び複数の充電電流、Ｉ１、Ｉ２、Ｉ３、……、Ｉｎを設置することができ、ただし、ｎ≧１、Ｉ１≧Ｉ２≧Ｉ３……≧Ｉｎであり、上記の制限電圧Ｖｎは、上記の直列接続された複数のセルのシステム、採用される材料などに関連し、充電電流Ｉ１、Ｉ２、Ｉ３、……、Ｉｎの電流値も、上記の直列接続された複数のセルのシステム、採用される材料などに関連することを理解されたい。好ましくは、バッテリの標準カットオフ電圧がＶ０である場合、ＶｎをＶ０＋△Ｖに設置することができ、例えば、△Ｖは、０.０５Ｖから０.１Ｖの間の値であってもよい。
【００６０】
本発明の一実施例では、直列接続された複数のセルシステムが決定された後、直列接続された複数のセルの容量が決定され、充電電圧、充電電流、充電時間及びバッテリ容量の関係に基づいて、上記の変換された充電電圧が制限電圧Ｖｎに等しい場合、異なる段階の充電電流の大きさを決定することができ、具体的には、Ｉ１、Ｉ２、Ｉ３、……、Ｉｎを設置することができ、隣接する二つの充電電流間の差は、いずれも△Ｉであり、例えば、△Ｉは、１００ｍＡから１Ａの間で値を取ることができる。
【００６１】
本発明の一実施例では、上記の第１の充電モードを採用しても、第２の充電モードを採用しても、直列接続された複数のセルのうちの任意の単一セルの電圧が対応する標準カットオフ電圧まで充電された場合、単一セル電圧が制限電圧Ｖｎまで達するように、充電電流Ｉ１でバッテリを定電流充電する。電流Ｉ１で定電流充電が停止した後、単一セルの電圧は低下するため、バッテリ電圧が制限電圧Ｖｎまで達するように、単一セルを電流Ｉ２でさらに定電流充電する。以上のステップを繰り返し、最後の一つの充電電流Ｉｎを使用して単一セルを制限電圧Ｖｎまで充電した場合、充電を停止することができる。このように、制限電圧Ｖｎ、及び各段階の充電電流を設置することによって、関連技術中の定電圧充電段階を省略することができ、充電時間が大幅に節約されることができる。
【００６２】
本発明の別の実施例では、前述技術案に基づいて、上記の第１の充電モードを採用しても、第２の充電モードを採用しても、直列接続された複数のセルのうちの任意の単一セルの電圧が対応する標準カットオフ電圧に印加される場合、単一セル電圧が制限電圧Ｖｎまで達するように、充電電流Ｉ１でバッテリを定電流充電し、その後、単一セル電圧が制限電圧Ｖｎまで達するように、単一セルを電流Ｉ２で定電流充電する。以上のステップを繰り返し、最後の一つの充電電流Ｉｎを使用して単一セルを制限電圧Ｖｎまで充電するように、Ｖｎを充電電圧として単一セルを継続的に充電し、定電圧充電が予め設定された充電時間に達した後、又は単一セルを充電する電流を予め設定された電流値まで減少した後、単一セルに対する充電を停止する。このように、前述の関連技術案と比較して、定電圧充電段階の時間を低減し、本発明の一実施例では、標準カットオフ電圧より高い制限電圧が設置されるため、定電圧充電の期間を減少し、充電時間が大幅に節約される。
【００６３】
本発明の一実施例では、充電対象端末内に直列接続された複数のセルを充電する場合、充電対象端末は、直列接続された各セルの電気量を検出し、セル間の電気量が不均等化である場合、均等化モジュールによって複数のセル間の電気量を均等化して、各セルの電気量が一致を維持するようにして、複数のセルの全体的な性能を確保し、セル寿命を延長する。
【００６４】
本発明の一実施例では、前述の技術案に基づいて、充電対象端末内に設置された複数のセルは、少なくとも二つのセルとしての第１のセルと第２のセルとを含み、第１のセルの第１の電気量及び第２のセルの第２の電気量をそれぞれ取得し、第１の電気量と第２の電気量との比を予め設定された閾値と比較し、比較結果を取得し、比較結果が１より大きく、予め設定された第１の閾値より大きい場合、比較結果が第１の閾値より小さく、かつ１以上になるまで、第１のセルの電気量を第２のセルに転送し、比較結果が１より小さく、かつ予め設定された第２の閾値より小さい場合、比較結果が第２の閾値より大きく、かつ１以下になるまで、第２のセルの電気量を第１のセルに転送し、例えば、第１のセルの電気量と第２のセルの電気量との不均等化状態が予め設定された閾値を超えた後、均等化モジュールによって第１のセルによって出力されたエネルギーを均等化モジュールに結合し、均等化モジュールに充電電流を形成し、当該充電電流を第２のセルに出力し、第１のセルの電気量と第２のセルの電気量が均等化するまで、第２のセルを充電する。
【００６５】
本発明の一実施例では、前述の技術案に基づいて、アダプタと双方向通信を行い、第１の充電モードのアダプタによって入力された電圧又は電流を制御し、及び第２の充電モードのアダプタによって入力された電圧又は電流を制御し、具体的には、アダプタと双方向通信を行うことによって、第１の充電モードでアダプタによって入力された第１の電圧を予め設定された第１の期待値とマッチングさせ、又は
アダプタと双方向通信を行うことによって、第２の充電モードでアダプタによって入力された第２の電圧を予め設定された第２の期待値とマッチングさせるようにする。
【００６６】
本発明の一実施例では、充電対象端末システムは、アダプタと通信し、複数のセルの現在の合計電圧又は現在の合計電気量をインタラクションし、複数のセルの現在の合計電圧又は現在の合計電気量に基づいてアダプタの出力電圧又は出力電流を調整する。
【００６７】
本発明の一実施例では、アダプタと充電対象機器のうちのいずれかは、マスタデバイス側として双方向通信セッションを開始することができ、これに応じて、他方は、スレーブデバイス側としてマスタデバイス側によって開始された通信に対して応答又は返信する。
【００６８】
本発明の一実施例では、上記のステップＳ１２０の後に、
チャージポンプを介して前記直列バッテリの複数のセルの合計電圧を端末システムに必要な電圧まで低減し、前記端末システムに出力するステップをさらに含む。
【００６９】
本発明の一実施例では、前述技術案に基づいて、チャージポンプを介して前記直列バッテリの複数のセルの合計電圧を端末システムに必要な電圧まで低減するステップは、具体的には、前記直列接続された複数のセル内の単一セルの電圧を出力するステップを含み、
前記直列接続された複数のセル内の単一セルの電圧を出力するステップは、第１のスイッチング回路によって前記直列接続された複数のセルを並列接続された複数のセルに切り替えるステップと、前記並列接続された複数のセルによって出力された電圧を前記複数のセル内の単一セルの電圧まで低減して出力するステップと、を含む。
【００７０】
本発明の一実施例では、上記の方法は、第２のスイッチング回路によって前記直列接続された複数のセルのうちの任意の単一セルを個別に出力し、前記直列接続された複数のセル内の各セル間の電気量を均等化するステップをさらに含む。
【００７１】
本発明の一実施例では、充電対象端末のシステムの電圧の要求は、一般に３.３ボルト程度であり、直列接続された複数のセルに配置された充電対象端末は、構成されたバッテリ電圧は３.３＊Ｎボルトであり、ただし、Ｎは、セル数を意味し、その電圧は、システムに必要な電圧よりはるかに高いため、本発明の実施例は、二つの電力供給方式を提供し、第１の方式は、直列接続されたセルを並列接続に切り替える方式であり、切り替えスイッチで切り替えることによって、バッテリ電圧を低減することができ、その後、降圧チップによって降圧して電力を供給し、第２の方式は、直列接続された複数のセルのうちの一つのセルのみを接続してシステム電力を供給し、バッテリの全体的な性能を確保するために、直列接続された複数のセル間の電気量を一致させることを維持する必要がある。
【００７２】
本発明の一実施例では、第１のスイッチング回路によって直列接続された複数のセルを並列接続された複数のセルに切り替え、並列接続された複数のセルによって出力された電圧を複数のセル内の単一セルの電圧に低減して出力し、又は、
第２のスイッチング回路によって直列接続された複数のセルのうちの任意の単一セルを個別に出力し、直列接続された複数のセル内の各セル間の電気量を均等化する。
【００７３】
本発明の一実施例では、回路の実現を簡略化するために、チャージポンプを介して並列接続された複数のセルによって出力された電圧を低減することができ、チャージポンプを介して複数のセルの合計電圧を現在の合計電圧の１／Ｎに直接に低減することができ、ただし、Ｎは、当該複数のセルに含まれるセルの数を意味し、チャージポンプは、主にスイッチチューブ及びコンデンサを利用して降圧し、コンデンサは、基本的に余分なエネルギーを消費しないため、チャージポンプを使用することで降圧プロセスによる電力損失を低減することができる。具体的には、チャージポンプ内部のスイッチチューブは、一定方式でコンデンサの充電及び放電を制御して、入力電圧を一定の係数で低減させることによって、必要な電圧を取得する。
【００７４】
本発明の別の実施例では、降圧回路を介して降圧処理後の電圧は、リップルが生じる可能性があるため、充電対象機器の電力供給品質に影響を与える可能性があり、本発明の実施例は、複数のセルのうちの単一セルの両端から電力供給電圧を直接に引き出し、充電対象機器内のデバイスに電力を供給することを提供し、セルによって出力された電圧が比較的に安定しているため、端末システムの電力供給品質を維持することができる。
【００７５】
図２は、本発明の一実施例に係るスイッチドキャパシタ直流電源変換器に基づいてダブルバッテリの充電方法及び端末システムへの電力供給を実現することを概略的に示す概略図である。
【００７６】
図２を参照すると、本発明の一実施例に係るスイッチドキャパシタ直流電源変換器に基づいてモジュールダブルバッテリの充電方法及び端末システムへの電力供給を実現することは、
モバイル端末に電力を供給するためのアダプタ２０１と、
第１の充電モードを実行するための第１のスイッチドキャパシタ直流電源変換器２０２と、
第２の充電モードを実行するための第２のスイッチドキャパシタ直流電源変換器２０３と、
第２の単一セル２０５を直列接続して、直列構造のセルを構成するための第１の単一セル２０４と、
第１の単一セル２０４を直列接続して、直列構造のセルを構成するための第２の単一セル２０５と、
直列構造のセルによって出力された電圧を１／２に変更し、モバイル端末システムに電力を供給するための第３のスイッチドキャパシタ直流電源変換器２０６と、
アダプタの出力を制御し、及びモバイル端末の関連機能を実現するためのモバイル端末システム２０７と、
第１の単一セル２０４と第２の単一セル２０５との間の電気量を均等化するための均等化モジュール２０８と、を含む。
【００７７】
本発明の一実施例では、挿入されたアダプタ２０１が二つのセルの急速充電をサポートする場合、例えば、アダプタ２０１は、２０Ｖの電圧を出力することができ、第１のスイッチドキャパシタ直流電源変換器２０２は、二つのセルを直列充電するように動作し、第２のスイッチドキャパシタ直流電源変換器は、動作しなく、充電中に、モバイル端末システム２０７は、アダプタ２０１と双方向通信を行い、アダプタ２０１の出力電圧又は電流を調整して、第１の単一セル２０４及び第２の単一セル２０５に印加された電圧、又はセルに入る電流が予め設定された期待値であることを確保する。充電中に、第１の単一セル２０４及び第２の単一セル２０５の不均等化の状態が予め設定された第１の閾値を超えた場合、均等化モジュール２０８が動作を開始し、第１の単一セル２０４及び第２の単一セル２０５の不均等化の状態が予め設定された第１の閾値より小さい場合、均等化モジュール２０８が動作を停止する。 
【００７８】
本発明の一実施例では、挿入されたアダプタ２０１が単一セルの急速充電のみをサポートする場合、例えば、アダプタ２０１は、最高で１０Ｖの電圧を出力することができ、第２のスイッチドキャパシタ直流電源変換器２０３は、第１の単一セルを充電するように動作し、第１のスイッチドキャパシタ直流電源変換器２０２は、動作しなく、充電中に、均等化モジュール２０８は、アダプタ２０１によって提供される一部（通常は半分）のエネルギーを第２の単一セル２０５に転送して、第１の単一セル２０４及び第２の単一セル２０５の不均等化の状態が予め設定された第２の閾値より小さいことを確保し、充電中に、モバイル端末システム２０７は、アダプタ２０１と双方向通信を行い、アダプタ２０１の出力電圧又は電流を調整して、第１の単一セル２０４及び第２の単一セル２０５に印加された電圧、又はセルに入る電流が予め設定された期待値であることを確保する。 
【００７９】
本発明の一実施例では、モバイル端末システムの電圧の要求は、一般に３.３Ｖ程度であり、ダブルセルを例とすると、直列接続される場合、セル電圧は、４.３＋４.３=８.６Ｖに達し、システムの要求電圧よりはるかに高くなるため、本発明の一実施例は、二つの電力供給方式を提供し、（１）直列接続されたセルを並列接続に切り替える方式であり、スイッチチューブのオンによって切り替えることができ、セル電圧を低減させることができ、その後、第３のスイッチドキャパシタ直流電源変換器２０６の降圧によって電力を供給し、（２）一つのセルのみを接続して電力を供給し、セルの電気量を一致させることを維持する。
【００８０】
なお、本発明の実施例により提供されるスイッチドキャパシタ直流電源変換器に基づいてモジュールダブルバッテリの充電方法及び端末システムへの電力供給を実現する具体的なステップは、具体的には、上記の第１の態様の複数のセルの充電方法の関連内容を参照することができ、ここでは詳細に説明しない。
【００８１】
なお、上記の内容は、本発明の好ましい実施例に過ぎず、本発明の保護範囲を限定するためのものではない。
【００８２】
以下、本発明の上記の複数のセルの充電方法を実行するために用いられることができる本発明の装置の実施例を説明する。
【００８３】
図３は、本発明の一実施例に係る複数のセルの充電装置を概略的に示すブロック図である。
【００８４】
図３を参照すると、本発明の一実施例に係る複数のセルの充電装置３００は、
受信された充電電圧を変換して、変換された充電電圧を取得するための変換モジュール３０１と、
前記変換された充電電圧で直列接続された複数のセルを充電するための充電モジュール３０２と、を含む。
【００８５】
本発明の一実施例では、上記の変換モジュールは、チャージポンプ又はスイッチドキャパシタ直流電源変換器によって実現することができる。
【００８６】
本発明の一実施例では、上記の装置は、
チャージポンプを介して前記直列バッテリの複数のセルの合計電圧を端末システムに必要な電圧まで低減し、前記端末システムに出力するための出力モジュール３０３をさらに含む。
【００８７】
本発明の一実施例では、上記の出力モジュール３０３は、具体的には、
第１のスイッチング回路によって前記直列接続された複数のセルを並列接続された複数のセルに切り替え、
前記並列接続された複数のセルによって出力された電圧を前記複数のセル内の単一セルの電圧に低減して出力する。
【００８８】
本発明の一実施例では、上記の出力モジュール３０３は、さらに、具体的には、
第２のスイッチング回路によって前記直列接続された複数のセルのうちの任意の単一セルを個別に出力し、前記直列接続された複数のセル内の各セル間の電気量を均等化する。
【００８９】
本発明の一実施例では、出力モジュールは、チャージポンプ又はスイッチドキャパシタ直流電源変換器によって実現することができる。
【００９０】
本発明の一実施例では、チャージポンプ又はスイッチドキャパシタ直流電源変換器は、入力電圧より大きい出力電圧を生成するか、負の出力電圧を生成するために用いられ、例えば、上記の変換モジュールは、チャージポンプを介して入力電圧より大きい出力電圧を生成して、直列接続された複数のセルに充電し、システムの電力供給の要求は、通常５Ｖであり、直列接続された複数のセルの合計電圧は、５Ｖよりはるかに高いため、出力モジュールは、チャージポンプを介して直列接続された複数のセルの合計電圧を５Ｖに低減することができ、システムに電力を供給する。
【００９１】
本発明の一実施例では、図２を参照すると、変換モジュール３０１は、第１のスイッチドキャパシタ直流電源変換器２０２と第２のスイッチドキャパシタ直流電源変換器２０３とを含むことができ、アダプタ２０１によって出力された電圧を変換した後、第１の充電モード及び第２の充電モードをそれぞれ実行し、第１の充電モードが実行される場合、第２のスイッチドキャパシタ直流電源変換器２０３はオフ状態であり、第２の充電モードが実行される場合、第１のスイッチドキャパシタ直流電源変換器２０２はオフ状態である。
【００９２】
本発明の一実施例では、図２を参照すると、第１の充電モードが実行される場合、第１のスイッチドキャパシタ直流電源変換器２０２は、直列接続されたセル２０５及びセル２０４の両端に充電電圧を印加し、この時、第１のスイッチドキャパシタ直流電源変換器２０２は、アダプタ２０１によって出力された充電電圧を変換して、充電電圧が直列接続されたセル２０５とセル２０４との合計電圧より大きいようにする。
【００９３】
本発明の一実施例では、図２を参照すると、第２の充電モードが実行される場合、第２のスイッチドキャパシタ直流電源変換器２０３は、直接にセル２０４の両端に充電電圧を印加し、均等化モジュール２０８を介してセル２０４内の電気量をセル２０５に転送して、直列接続されたセル２０５及びセル２０４に対する充電を実現する。
【００９４】
本発明の一実施例では、図２を参照すると、出力モジュール３０３は、直列接続されたセル２０５及びセル２０４の両端に接続され、直列接続されたセル２０５及びセル２０４の合計電圧を低減して、低減された電圧をモバイル端末システム２０７に出力するための第３のスイッチドキャパシタ直流電源変換器２０６であってもよい。
【００９５】
本発明の例示的な実施例の複数のセルの充電装置の各機能モジュールは、上記の複数のセルの充電方法の例示的な実施例におけるステップに対応するため、本発明の装置の実施例で開示されていない詳細については、本発明の上記の複数のセルの充電方法の実施例を参照する。
【００９６】
以下、図４を参照すると、本発明の実施例を実現するための電子機器のコンピュータシステム４００の概略構成図を示す。図４に示される電子機器のコンピュータシステム４００は一例にすぎず、本発明の実施例の機能及び使用範囲に何ら制限が与えられるものではない。
【００９７】
図４に示すように、コンピュータシステム４００は、読み取り専用メモリ（ＲＯＭ）４０２に記憶されているプログラム、又は記憶部４０８からランダムアクセスメモリ（ＲＡＭ）４０３にローディングされたプログラムに基づいて、様々な適切な動作及び処理を実行することができる中央処理装置（ＣＰＵ）４０１を含む。ＲＡＭ４０３には、システムの操作に必要な各種のプログラムとデータがさらに記憶されている。ＣＰＵ４０１と、ＲＯＭ４０２と、ＲＡＭ４０３とは、バス４０４を介して互いに接続されている。入力／出力（Ｉ／Ｏ）インターフェース４０５もバス４０４に接続される。
【００９８】
以下の部材は、キーボード、マウスなどを含む入力部４０６と、ブラウン管（ＣＲＴ）、液晶ディスプレイ（ＬＣＤ）など、及びスピーカーなどを含む出力部分４０７と、ハードディスクなどを含む記憶部４０８と、及びローカルエリアネットワーク（ＬＡＮ）カード、モデムなどのネットワークインターフェースカードを含む通信部４０９などの、Ｉ／Ｏインターフェース４０５に接続される。通信部４０９は、インターネットなどのネットワークを介して通信処理を実行する。ドライバ４１０は、必要に応じてＩ／Ｏインターフェース４０５にも接続される。例えば、磁気ディスク、光ディスク、光磁気ディスク、半導体メモリなどの取り外し可能な媒体４１１は、読み出されたコンピュータプログラムが必要に応じて記憶部４０８にインストールするように、必要に応じてドライバ４１０に実装する。
【００９９】
特に、本発明の実施例によれば、上述のフローチャートを参照して説明されたプロセスは、コンピュータソフトウェアプログラムとして実現されることができる。例えば、本発明の実施例は、コンピュータプログラムプロダクトを含み、コンピュータ読み取り可能な媒体に記憶されているコンピュータプログラムを含み、当該コンピュータプログラムは、フローチャートに示される方法を実行するためのプログラムコードを含む。このような実施例では、当該コンピュータプログラムは、通信部４０９を介してネットワークからダウンロード及びインストールされることができ、及び／又は取り外し可能な媒体４１１からインストールされることができる。当該コンピュータプログラムが中央処理装置（ＣＰＵ）４０１によって実行される場合、本出願のシステムにより限定された上記の機能を実行する。
【０１００】
なお、本発明に示されるコンピュータ読み取り可能な媒体は、コンピュータ読み取り可能な信号媒体、又はコンピュータ読み取り可能な記憶媒体、又は上記両者の任意の組み合わせであってもよい。コンピュータ読み取り可能な媒体は、例えば、電子、磁気、光、電磁気、赤外線、又は半導体のシステム、装置又はデバイス、或いは上記の任意の組み合わせであってもよいが、これらに限定されない。コンピュータ読み取り可能な記憶媒体のより具体的な例（非網羅なリスト）は、一つ又は複数の配線を備える電気接続部、ポータブルコンピュータディスク、ハードディスク、ランダムアクセスメモリ（ＲＡＭ）、読み出し専用メモリ（ＲＯＭ）、消去可能なプログラマブル読み出し専用メモリ（ＥＰＲＯＭ又はフラッシュメモリ）、光ファイバ、ポータブルコンパクトディスク読み出し専用メモリ（ＣＤ-ＲＯＭ）、光記憶装置、磁気記憶装置、又は上記の任意の適切な組み合わせを含む。本発明において、コンピュータ読み取り可能な記憶媒体は、命令実行システム、装置又はデバイスにより使用され、或いはそれらと組み合わせて使用されることが可能であるプログラムを含む又は記憶する任意の有形の媒体であってもよい。本発明において、コンピュータ読み取り可能な信号媒体は、ベースバンドにおける、又は搬送波の一部として伝播するデータ信号を含むことができ、その中にはコンピュータ読み取り可能なプログラムコードが搭載されている。この伝播するデータ信号は様々な形式を採用することができ、電磁信号、光信号又は上記の任意の適切な組み合わせを含むが、これらに限定されない。コンピュータ読み取り可能な信号媒体は、さらに、コンピュータ読み取り可能な記憶媒体以外の任意のコンピュータ読み取り可能な媒体であってもよく、当該コンピュータ読み取り可能な媒体は、命令実行システム、装置又はデバイスにより使用され、或いはそれらと組み合わせて使用されるプログラムを送信、伝播又は伝送することができる。コンピュータ読み取り可能な媒体に含まれるプログラムコードは、無線、有線、光ケーブル、ＲＦなど、又は上記の任意の適切な組み合わせを含むが、これらに限定されない任意の適切な媒体によって伝送することができる。
【０１０１】
図面中のフローチャート及びブロック図は、本発明の様々な実施例のシステム、方法、コンピュータプログラムプロダクトの実現可能なアーキテクチャ、機能、及び操作を示す。この点で、フローチャート又はブロック図における各ブロックは、一つのモジュール、ログラムセグメント、又はコードの一部を表すことができ、上記のモジュール、ログラムセグメント、又はコードの一部は、一つ又は複数の所定の論理機能を実現するため可実行可能な命令を含むことができる。代替とするいくつかの実現では、ブロック内にラベル付けられた機能は、図面とは異なる順序で発生することもできることを注意されたい。例えば、二つの連続して表されるブロックは、実際には基本的に並列に実行することができ、場合によっては逆の順序で実行することもでき、これは関連する機能に応じて決定される。ブロック図又はフローチャートにおける各ブロック、及びブロック図又はフローチャートにおけるブロックの組み合わせは、所定の機能又は操作を実行するための専用のハードウェアベースのシステムによって実現することができ、又は専用のハードウェアとコンピュータ命令の組み合わせで実現することもできることを注意されたい。
【０１０２】
本発明の実施例に係るユニットは、ソフトウェアの方式で実現されてもよく、ハードウェアの方式で実現されてもよく、説明されたユニットは、プロセッサに設置されてもよい。これらのユニットの名称は、場合によって、当該ユニット自体を限定するものではない。
【０１０３】
別の側面として、本出願は、コンピュータ読み取り可能な媒体をさらに提供し、当該コンピュータ読み取り可能な媒体は、上記の実施例に説明された電子機器に含まれるものであってもよく、当該電子機器に組み込まれていない個別の存在であってもよい。上記のコンピュータ読み取り可能な媒体は、一つの又は複数のプログラムが記憶されており、上記の一つの又は複数のプログラムが一つの当該電子機器によって実行される場合に、当該電子機器は、上記の実施例におけるオンラインプロダクト情報取得方法を実現する。
【０１０４】
例えば、上記の電子機器は、図１に示すように、ステップＳ１１０において、入力された電圧値に基づいて、充電モードを決定し、ステップＳ１２０において、充電モードに対応する充電回路によって、直列接続された複数のセルを充電することを実現することができる。
【０１０５】
動作を実行するための機器のいくつかのモジュール又はユニットを上記の詳細的な説明で言及されているが、このような区分は強制的ではないことを注意されたい。実際的には、本発明の実施形態に基づいて、上記で説明された二つ以上のモジュール又はユニットの特徴及び機能は、一つのモジュール又はユニットで具現化されることができる。逆に、上記で説明された一つのモジュール又はユニットの特徴及び機能は、複数のモジュール又はユニットにさらに分割されて具現化されることができる。
【０１０６】
以上の実施形態の説明によって、当業者は理解しやすくなり、ここで説明された例示的な実施形態は、ソフトウェアによって実現することができ、必要なハードウェアをソフトウェアと結合する方式で実現することもできる。したがって、本発明の実施形態に係る技術案は、ソフトウェアプロダクトの形式で具現化することができ、当該ソフトウェアプロダクトは、一つのコンピューティングデバイス（パーソナルコンピュータ、サーバ、タッチ端末、又はネットワークデバイスなどであってもよい）によって本発明の実施形態の方法を実行するために、一つの不揮発性記憶媒体（ＣＤ−ＲＯＭ、Ｕディスク、モバイルハードディスクなどであってもよい）又はネットワークに記憶されることができ、いくつかの命令を含む。
【０１０７】
当業者は、明細書を考慮してここに記載の発明を実践した後、本発明の他の実施案を容易に考えられる。本発明は、ここに記載された一切変形、用途又は適応性的な変化を含むことを旨とし、これらの変形、用途又は適応的変化は本発明の一般的な原理及び本発明に開示されていない当該技術分野における周知知識又は常用の技術手段を含む。明細書と実施例とは例示的なもののみとみなされ、本発明の真の範囲と主旨は以下の特許請求の範囲に示される。
【０１０８】
本発明は、上記既に説明されて図面に示された正確な構造に限られるものではなく、その原理及び主旨から逸脱しない限り、各種の補正、変化を行うことができると理解されるべきである。本発明の範囲は、特許請求の範囲だけにより限定されるものである。
【手続補正２】
【補正対象書類名】特許請求の範囲
【補正対象項目名】全文
【補正方法】変更
【補正の内容】
【特許請求の範囲】
【請求項１】
複数のセルの充電方法であって、
受信された充電電圧を変換し、変換された充電電圧を取得するステップと、
前記変換された充電電圧で直列接続された複数のセルを充電するステップと、を含む、
ことを特徴とする複数のセルの充電方法。
【請求項２】
前記受信された充電電圧を変換し、変換された充電電圧を取得するステップは、
チャージポンプによって受信された充電電圧を変換し、変換された充電電圧を取得するステップを含む、
ことを特徴とする請求項１に記載の複数のセルの充電方法。
【請求項３】
前記方法は、
前記直列接続された複数のセルの充電パラメータを取得するステップであって、前記充電パラメータは、少なくとも各単一セルの電圧と充電電流とを含むステップと、
前記充電パラメータを電源供給機器にフィードバックするステップであって、前記充電パラメータは、前記直列接続された複数のセルに必要な電圧及び電流を満たすように、前記電源供給機器が出力電圧及び／又は電流を調整するように指示するものであるステップと、をさらに含む、
ことを特徴とする請求項１に記載の複数のセルの充電方法。
【請求項４】
前記方法は、
前記変換された充電電圧に基づいて、充電モードを決定するステップと、
変換された充電電圧の電圧値が第１の電圧値である場合、第１の充電モードを決定するステップと、
変換された充電電圧の電圧値が第２の電圧値である場合、第２の充電モードを決定するステップであって、前記第１の電圧値は、前記第２の電圧値より大きいステップと、をさらに含む、
ことを特徴とする請求項１に記載の複数のセルの充電方法。
【請求項５】
前記変換された充電電圧で直列接続された複数のセルを充電するステップは、
前記変換された充電電圧が前記第１の充電モードに対応する場合、前記第１の充電モードに対応する第１の充電回路によって、前記変換された充電電圧を前記直列接続された複数のセルの両端に印加するステップであって、前記入力された変換された充電電圧は、前記直列接続された複数のセルの合計電圧より大きいステップを含む、
ことを特徴とする請求項4に記載の複数のセルの充電方法。
【請求項６】
前記変換された充電電圧で直列接続された複数のセルを充電するステップは、
前記変換された充電電圧が前記第２の充電モードに対応する場合、前記第２の充電モードに対応する第２の充電回路によって、前記変換された充電電圧を前記直列接続された複数のセルのうちの任意の単一セルの両端に印加するステップであって、前記変換された充電電圧は、印加された単一セルの電圧より大きく、前記入力された変換された充電電圧は、前記直列接続された複数のセルの合計電圧より小さいステップをさらに含む、
ことを特徴とする請求項５に記載の複数のセルの充電方法。
【請求項７】
前記変換された充電電圧で直列接続された複数のセルを充電し、前記方法は、
前記複数のセルのうちの任意の単一セルのセルパラメータに基づいて対応するカットオフ電圧を決定するステップと、
前記直列接続された複数のセルのうちの任意の単一セルの電圧を検出して、前記単一セルの現在の電圧値を取得するステップと、
前記単一セルの現在の電圧値が前記単一セルに対応するカットオフ電圧まで充電された場合、
複数の充電段階でバッテリを充電するステップであって、各前記充電段階は、一つの充電電流にそれぞれ対応し、且つ前記充電段階に対応する充電電流は、前記充電段階の次の充電段階に対応する充電電流より大きく、各前記充電段階は、対応する充電電流で前記バッテリの電圧を予め設定された目標電圧値まで充電するステップと、
複数の前記充電段階が完了された場合、充電を停止するステップと、を含む、
ことを特徴とする請求項１に記載の複数のセルの充電方法。
【請求項８】
前記変換された充電電圧で直列接続された複数のセルを充電し、前記方法は、
前記複数のセルのうちの任意の単一セルのセルパラメータに基づいて対応するカットオフ電圧を決定するステップと、
前記直列接続された複数のセルのうちの任意の単一セルの電圧を検出して、前記単一セルの現在の電圧値を取得するステップと、
前記単一セルの現在の電圧値が前記単一セルに対応するカットオフ電圧まで充電された場合、
複数の充電段階でバッテリを充電するステップであって、各前記充電段階は、一つの充電電流にそれぞれ対応し、且つ前記充電段階に対応する充電電流は、前記充電段階の次の充電段階に対応する充電電流より大きく、各前記充電段階は、対応する充電電流で前記バッテリの電圧を予め設定された目標電圧値まで充電するステップと、
前記予め設定された目標電圧値で前記バッテリを定電圧充電し、前記充電電流が予め設定された目標定電圧充電のカットオフ電流に達するか、又は充電期間が予め設定された期間に達する場合、充電を停止するステップと、をさらに含む、
ことを特徴とする請求項１に記載の複数のセルの充電方法。
【請求項９】
前記方法は、前記直列接続された複数のセル内の各セル間の電気量を均等化するステップをさらに含み、
前記複数のセルは、少なくとも第１のセルと第２のセルとを含み、前記直列接続された複数のセル内の各セル間の電気量を均等化するステップは、
前記第１のセルの第１の電気量及び前記第２のセルの第２の電気量をそれぞれ取得するステップと、
前記第１の電気量と前記第２の電気量との比を予め設定された閾値と比較し、比較結果を取得するステップと、
前記比較結果が１より大きく、かつ予め設定された第１の閾値より大きい場合、前記比較結果が前記第１の閾値より小さく、かつ１以上になるまで、前記第１のセルの電気量を前記第２のセルに転送するステップと、
前記比較結果が１より小さく、かつ予め設定された第２の閾値より小さい場合、前記比較結果が前記第２の閾値より大きく、かつ１以下になるまで、前記第２のセルの電気量を前記第１のセルに転送するステップと、を含む、
ことを特徴とする請求項１に記載の複数のセルの充電方法。
【請求項１０】
前記方法は、
前記アダプタと双方向通信を行い、前記第１の充電モードの前記アダプタによって入力された電圧又は電流を制御し、前記第２の充電モードの前記アダプタによって入力された電圧又は電流を制御するステップをさらに含む、
ことを特徴とする請求項４に記載の複数のセルの充電方法。
【請求項１１】
前記方法は、
チャージポンプを介して前記直列バッテリの複数のセルの合計電圧を端末システムに必要な電圧まで低減し、前記端末システムに出力するステップをさらに含む、
ことを特徴とする請求項１に記載の複数のセルの充電方法。
【請求項１２】
端末システムへ端末システムに必要な電圧を出力するステップは、
第１のスイッチング回路によって前記直列接続された複数のセルを並列接続された複数のセルに切り替えるステップと、
前記並列接続された複数のセルによって出力された電圧を前記複数のセル内の単一セルの電圧まで低減して出力するステップと、を含む、
ことを特徴とする請求項１１に記載の複数のセルの充電方法。
【請求項１３】
端末システムへ端末システムに必要な電圧を出力するステップは、
第２のスイッチング回路によって前記直列接続された複数のセルのうちの任意の単一セルの電圧を個別に出力し、前記直列接続された複数のセル内の各セル間の電気量を均等化するステップをさらに含む、
ことを特徴とする請求項１１に記載の複数のセルの充電方法。
【請求項１４】
複数のセルの充電装置であって、
プロセッサと、
プロセッサにより実行可能な指令が記憶されているメモリと、を含み、
前記プロセッサは、
受信された充電電圧を変換して、変換された充電電圧を取得し、
前記変換された充電電圧で直列接続された複数のセルを充電するように構成される、
ことを特徴とする複数のセルの充電装置。
【請求項１５】
電子機器であって、
直列接続された第１のセル及び第２のセルと、
アダプタから充電電圧を受信し、充電電圧を変換して変換された充電電圧を取得し、変換された充電電圧を第１のセル及び第２のセルに出力するための変換回路と、及び、
第１のセル及び第２のセルにより出力された合計電圧を、前記電子機器の端末システムの期待電圧まで低減し、前記期待電圧を前記端末システムに出力するための出力回路と、を含む、
ことを特徴とする電子機器。
【国際調査報告】
2021511000.tif 000007
2021511000.tif 000008
2021511000.tif 000009
2021511000.tif 000010